(57)【要約】無線ネットワーク環境において、外部ネットワークに登録するための例示的方法および装置を開示する。開示される例示的方法は、デバイスからネットワークエンティティに登録要求を送信することと、デバイスにおいて登録応答を受信することとを伴う。登録応答は、１つ以上の登録プランを示す。例示的方法はまた、登録プランを１つ以上の登録プランから選択することと、デバイスに関連付けられた登録情報をネットワークエンティティに送信することとを伴う。登録情報は、選択された登録プランに基づいて選択される。
2012533920.tif 000002
【特許請求の範囲】
【請求項１】
無線ローカルエリアネットワークにおけるデバイスの接続性を向上させる方法であって、
前記デバイスにおいて登録応答を受信することであって、前記登録応答は、１つ以上の登録プランを示す、ことと、
登録プランを前記１つ以上の登録プランから選択することと、
前記デバイスに関連付けられた登録情報をネットワークエンティティに送信することであって、前記登録情報は、選択された登録プランに基づいて選択される、ことと
を含む、方法。
【請求項２】
前記ネットワークエンティティは、アクセスポイントである、請求項１に記載の方法。
【請求項３】
前記デバイスにおいて登録応答を受信することに先立って、登録要求を前記デバイスから前記ネットワークエンティティに送信することをさらに含む、請求項１に記載の方法。
【請求項４】
前記登録応答は、前記デバイスからの登録要求に応答して、前記ネットワークエンティティによって通信される、請求項３に記載の方法。
【請求項５】
前記登録プランを前記１つ以上の登録プランから選択することは、前記デバイスによって行われる、請求項１に記載の方法。
【請求項６】
前記選択された登録プランの識別子を前記登録情報に関連するネットワークエンティティに送信することをさらに含む、請求項１に記載の方法。
【請求項７】
前記登録情報は、使用条件の承諾、ユーザ名、またはユーザ識別のうちの少なくとも１つを含む、請求項１に記載の方法。
【請求項８】
前記１つ以上の登録プランの各々は、時間ベースのプラン、賦課方式プラン、またはフリーアクセスプランのうちの１つに関連付けられている、請求項１に記載の方法。
【請求項９】
前記ネットワークエンティティは、ローカルエリアネットワークへのアクセスを提供する、請求項１に記載の方法。
【請求項１０】
前記１つ以上の登録プランは、前記デバイスを前記ローカルエリアネットワークと通信する外部ネットワークに登録することに関連付けられている、請求項９に記載の方法。
【請求項１１】
前記外部ネットワークは、サービスプロバイダネットワークであり、前記サービスプロバイダネットワークは、前記デバイスに利用可能な加入ベースのサービスに基づいて動作し、前記デバイスに利用可能な加入ベースのサービスは、前記１つ以上の登録プランに基づいている、請求項１０に記載の方法。
【請求項１２】
前記ローカルエリアネットワークは、無線ローカルエリアネットワークである、請求項９に記載の方法。
【請求項１３】
前記１つ以上の登録プランは、拡張マークアップ言語（ＸＭＬ）形式におけるものである、請求項１に記載の方法。
【請求項１４】
プロビジョニング要求を前記デバイスから前記ネットワークエンティティに送信することと、
前記プロビジョニング要求に応答して、前記デバイスが正常にプロビジョニングされたかどうかを示す、プロビジョニング状態を受信することと
をさらに含む、請求項１に記載の方法。
【請求項１５】
前記デバイスに関連付けられた登録情報をネットワークエンティティに送信することは、拡張可能認証プロトコル（ＥＡＰ）方法を使用して、前記登録情報を送信することを含む、請求項１に記載の方法。
【請求項１６】
無線ローカルエリアネットワークにおけるデバイスの接続性を向上させるための装置であって、プロセッサを備え、
前記プロセッサは、
前記デバイスにおいて登録応答を受信することであって、前記登録応答は、１つ以上の登録プランを示す、ことと、
登録プランを前記１つ以上の登録プランから選択することと、
前記デバイスに関連付けられた登録情報をネットワークエンティティに送信することであって、前記登録情報は、選択された登録プランに基づいて選択される、ことと
を行うように構成されている、
装置。
【請求項１７】
前記ネットワークエンティティは、アクセスポイントである、請求項１６に記載の装置。
【請求項１８】
前記プロセッサは、前記デバイスにおいて登録応答を受信することに先立って、登録要求を前記デバイスから前記ネットワークエンティティに送信するように構成されている、請求項１６に記載の装置。
【請求項１９】
前記登録応答は、前記デバイスからの登録要求に応答して、前記ネットワークエンティティによって通信される、請求項１８に記載の装置。
【請求項２０】
前記プロセッサは、前記選択された登録プランの識別子を前記登録情報に関連するネットワークエンティティに送信するように構成されている、請求項１６に記載の装置。
【請求項２１】
前記登録情報は、使用条件の承諾、ユーザ名、またはユーザ識別のうちの少なくとも１を含む、請求項１６に記載の装置。
【請求項２２】
前記１つ以上の登録プランの各々は、時間ベースのプラン、賦課方式プラン、またはフリーアクセスプランのうちの１つに関連付けられている、請求項１６に記載の装置。
【請求項２３】
前記ネットワークエンティティは、ローカルエリアネットワークへのアクセスを提供する、請求項１６に記載の装置。
【請求項２４】
前記１つ以上の登録プランは、前記デバイスを前記ローカルエリアネットワークと通信する外部ネットワークに登録することに関連付けられている、請求項２３に記載の装置。
【請求項２５】
前記外部ネットワークは、サービスプロバイダネットワークであり、前記サービスプロバイダネットワークは、前記デバイスに利用可能な加入ベースのサービスに基づいて動作し、前記デバイスに利用可能な加入ベースのサービスは、前記１つ以上の登録プランに基づいている、請求項２４に記載の装置。
【請求項２６】
前記ローカルエリアネットワークは、無線ローカルエリアネットワークである、請求項２３に記載の装置。
【請求項２７】
前記１つ以上の登録プランは、拡張マークアップ言語（ＸＭＬ）形式におけるものである、請求項１６に記載の装置。
【請求項２８】
前記プロセッサは、
プロビジョニング要求を前記ネットワークエンティティに送信することと、
前記プロビジョニング要求に応答して、前記デバイスが正常にプロビジョニングされたかどうかを示すプロビジョニング状態を受信することと
を行うように構成されている、請求項１６に記載の装置。
【請求項２９】
前記プロセッサは、拡張可能認証プロトコル（ＥＡＰ）方法を使用して、前記登録情報を送信することによって、前記デバイスに関連付けられた登録情報を前記ネットワークエンティティに送信するように構成されている、請求項１６に記載の装置。
【請求項３０】
無線ローカルエリアネットワークにおけるデバイスを登録する方法であって、
登録要求を前記デバイスから受信することと、
前記登録要求に応答して、１つ以上の登録プランを含む応答を前記デバイスに送信することであって、前記１つ以上の登録プランは、前記無線ローカルエリアネットワークを介するネットワークアクセスのために、前記デバイスを登録することに関連付けられている、ことと、
登録情報を前記デバイスから受信することであって、前記登録情報は、前記デバイスによって選択された１つ以上の登録プランのうちの１つに関連付けられている、ことと
を含む、方法。
【請求項３１】
前記デバイスからの登録情報は、前記デバイスへの応答に応答している、請求項３０に記載の方法。
【請求項３２】
前記１つ以上の登録プランから選択された登録プランの識別子を受信することをさらに含む、請求項３０に記載の方法。
【請求項３３】
メッセージを前記無線ローカルエリアネットワークの外部にある外部ネットワークに送信することをさらに含み、前記メッセージは、少なくとも前記選択された登録プランの識別子および前記登録情報を含む、請求項３２に記載の方法。
【請求項３４】
前記外部ネットワークから、前記選択された登録プランおよび前記登録情報に関連付けられた登録状態を受信することをさらに含み、前記登録状態は、前記デバイスが前記外部ネットワークに正常に登録されているかどうかを示す、請求項３３に記載の方法。
【請求項３５】
前記外部ネットワークは、サービスプロバイダネットワークであり、前記サービスプロバイダネットワークは、前記デバイスに利用可能な加入ベースのサービスに基づいて動作し、前記デバイスに利用可能な加入ベースのサービスは、前記１つ以上の登録プランに基づいている、請求項３３に記載の方法。
【請求項３６】
プロビジョニング要求を前記デバイスから受信することと、
前記プロビジョニング要求に応答して、プロビジョニング状態を送信することであって、前記プロビジョニング状態は、前記無線ローカルエリアネットワークの外部にあるネットワークによって、前記デバイスが正常にプロビジョニングされたかどうかを示す、ことと
をさらに含む、請求項３０に記載の方法。
【請求項３７】
前記１つ以上の登録プランは、前記デバイスを前記無線ローカルエリアネットワークと通信する外部ネットワークに登録することに関連付けられている、請求項３０に記載の方法。
【請求項３８】
前記１つ以上の登録プランは、拡張マークアップ言語（ＸＭＬ）形式におけるものである、請求項３０に記載の方法。
【請求項３９】
前記登録情報を前記デバイスから受信することは、拡張可能認証プロトコル（ＥＡＰ）方法を使用して、前記登録情報を受信することを含む、請求項３０に記載の方法。
【請求項４０】
無線ローカルエリアネットワークにおけるデバイスを登録するための装置であって、プロセッサを備え、
前記プロセッサは、
登録要求を前記デバイスから受信することと、
前記登録要求に応答して、１つ以上の登録プランを含む応答を前記デバイスに送信することであって、前記１つ以上の登録プランは、前記無線ローカルエリアネットワークを介するネットワークアクセスのために、前記デバイスを登録することに関連付けられている、ことと、
登録情報を前記デバイスから受信することであって、前記登録情報は、前記デバイスによって選択された１つ以上の登録プランのうちの１つに関連付けられている、ことと
を行うように構成されている、
装置。
【請求項４１】
前記デバイスからの登録情報は、前記デバイスへの応答に応答している、請求項４０に記載の装置。
【請求項４２】
前記プロセッサは、前記１つ以上の登録プランから選択された登録プランの識別子を受信するように構成されている、請求項４０に記載の装置。
【請求項４３】
前記プロセッサは、メッセージを前記無線ローカルエリアネットワークの外部にある外部ネットワークに送信するように構成され、前記メッセージは、少なくとも前記選択された登録プランの識別子および前記登録情報を含む、請求項４２に記載の装置。
【請求項４４】
前記プロセッサは、前記外部ネットワークから、前記選択された登録プランおよび前記登録情報に関連付けられた登録状態を受信するように構成され、前記登録状態は、前記デバイスが前記外部ネットワークに正常に登録されているかどうかを示す、請求項４３に記載の装置。
【請求項４５】
前記外部ネットワークは、サービスプロバイダネットワークであり、前記サービスプロバイダネットワークは、前記デバイスに利用可能な加入ベースのサービスに基づいて動作し、前記デバイスに利用可能な加入ベースのサービスは、前記１つ以上の登録プランに基づいている、請求項４３に記載の装置。
【請求項４６】
前記プロセッサは、
プロビジョニング要求を前記デバイスから受信することと、
前記プロビジョニング要求に応答して、プロビジョニング状態を送信することであって、前記プロビジョニング状態は、前記無線ローカルエリアネットワークの外部にあるネットワークによって、前記デバイスが正常にプロビジョニングされたかどうかを示す、ことと
を行うように構成されている、請求項４０に記載の装置。
【請求項４７】
前記１つ以上の登録プランは、前記デバイスを前記無線ローカルエリアネットワークと通信する外部ネットワークに登録することに関連付けられている、請求項４０に記載の装置。
【請求項４８】
前記１つ以上の登録プランは、拡張マークアップ言語（ＸＭＬ）形式におけるものである、請求項４０に記載の装置。
【請求項４９】
前記プロセッサは、拡張可能認証プロトコル（ＥＡＰ）方法を使用して、前記登録情報を受信することによって、前記登録情報を前記デバイスから受信するように構成されている、請求項４０に記載の装置。
【請求項５０】
登録されたネットワークアクセスを確立する方法であって、
メッセージをネットワークエンティティから受信することであって、前記メッセージは、デバイスが外部ネットワークに正常に登録されているかどうかを示す登録状態を含み、前記外部ネットワークは、前記ネットワークエンティティに関連付けられたネットワークと通信する、ことと、
前記受信された登録状態が正常登録を示す場合に、前記正常登録に関連付けられた支払情報を送信することと
を含む、方法。
【請求項５１】
前記ネットワークエンティティは、アクセスポイントである、請求項５０に記載の方法。
【請求項５２】
前記受信された登録状態が、欠落登録情報または無効登録情報のうちの少なくとも１つを示す場合に、代替登録情報を前記ネットワークエンティティに送信することをさらに含む、請求項５０に記載の方法。
【請求項５３】
前記メッセージを前記ネットワークエンティティから受信する時に、前記デバイスは、登録状態、発見状態、プロビジョニング状態、またはアクセス状態のうちの１つにある、請求項５０に記載の方法。
【請求項５４】
前記支払情報は、クレジットカード番号、プリペイドアカウント番号、またはクーポン番号のうちの少なくとも１つを含む、請求項５０に記載の方法。
【請求項５５】
前記外部ネットワークは、前記デバイスに利用可能な加入ベースのサービスに基づいて動作するサービスプロバイダネットワークである、請求項５０に記載の方法。
【請求項５６】
前記ネットワークエンティティに関連付けられたネットワークは、無線ローカルエリアネットワークである、請求項５０に記載の方法。
【請求項５７】
前記支払情報を送信することは、前記デバイスが、拡張可能認証プロトコル（ＥＡＰ）方法を使用して、前記支払情報を前記ネットワークエンティティに送信することを含む、請求項５０に記載の方法。
【請求項５８】
登録されたネットワークアクセスを確立するための装置であって、
プロセッサを備え、
前記プロセッサは、
メッセージをネットワークエンティティから受信することであって、前記メッセージは、デバイスが外部ネットワークに正常に登録されているかどうかを示す登録状態を含み、前記外部ネットワークは、前記ネットワークエンティティに関連付けられたネットワークと通信する、ことと、
前記受信された登録状態が正常登録を示す場合に、前記正常登録に関連付けられた支払情報を送信することと
を行うように構成されている、装置。
【請求項５９】
前記ネットワークエンティティは、アクセスポイントである、請求項５８に記載の装置。
【請求項６０】
前記プロセッサは、前記受信された登録状態が、欠落登録情報または無効登録情報のうちの少なくとも１つを示す場合に、代替登録情報を前記ネットワークエンティティに送信するように構成されている、請求項５８に記載の装置。
【請求項６１】
前記プロセッサが、前記メッセージを前記ネットワークエンティティから受信する時に、前記デバイスは、登録状態、発見状態、プロビジョニング状態、またはアクセス状態のうちの１つにある、請求項５８に記載の装置。
【請求項６２】
前記支払情報は、クレジットカード番号、プリペイドアカウント番号、またはクーポン番号のうちの少なくとも１つを含む、請求項５８に記載の装置。
【請求項６３】
前記外部ネットワークは、前記デバイスに利用可能な加入ベースのサービスに基づいて動作するサービスプロバイダネットワークである、請求項５８に記載の装置。
【請求項６４】
前記ネットワークエンティティに関連付けられたネットワークは、無線ローカルエリアネットワークである、請求項５８に記載の装置。
【請求項６５】
前記プロセッサは、拡張可能認証プロトコル（ＥＡＰ）方法を使用して、前記支払情報を前記ネットワークエンティティに送信することによって、前記支払情報を送信するように構成されている、請求項５８に記載の装置。
【請求項６６】
拡張可能認証プロトコル（ＥＡＰ）方法を使用して、外部ネットワークに登録する方法であって、前記登録する方法は、
１つ以上の登録プランをネットワークエンティティから受信することと、
登録プランを前記１つ以上の登録プランから選択することと、
前記ＥＡＰ方法を使用して、前記デバイスに関連付けられた登録情報を前記ネットワークエンティティに送信することであって、前記登録情報は、選択された登録プランに基づいて選択される、ことと
を含む、方法。
【請求項６７】
前記ネットワークエンティティは、アクセスポイントである、請求項６６に記載の方法。
【請求項６８】
前記ＥＡＰ方法は、トンネル化された認証プロトコルである、請求項６６に記載の方法。
【請求項６９】
前記ＥＡＰ方法は、無線ネットワークのホットスポットアクセスのための認証フレームワークを提供する、請求項６６に記載の方法。
【請求項７０】
タイプ−長さ−値（ＴＬＶ）構造形式を使用して、前記１つ以上の登録プランが受信され、前記登録情報が送信される、請求項６６に記載の方法。
【請求項７１】
タイプ−長さ−値（ＴＬＶ）構造形式を使用して、支払要件を受信し、前記支払要件に応答して支払情報を送信することをさらに含む、請求項６６に記載の方法。
【請求項７２】
タイプ−長さ−値（ＴＬＶ）構造形式を使用して、プロビジョニング要件を受信し、前記プロビジョニング要件に応答してプロビジョニング情報を送信することをさらに含む、請求項６６に記載の方法。
【請求項７３】
前記ネットワークエンティティは、ローカルエリアネットワークへのアクセスを提供する、請求項６６に記載の方法。
【請求項７４】
前記１つ以上の登録プランは、前記デバイスを前記ローカルエリアネットワークと通信する外部ネットワークに登録することに関連付けられている、請求項７３に記載の方法。
【請求項７５】
前記外部ネットワークは、サービスプロバイダネットワークであり、前記サービスプロバイダネットワークは、前記デバイスに利用可能な加入ベースのサービスに基づいて動作し、前記デバイスに利用可能な加入ベースのサービスは、前記１つ以上の登録プランに基づいている、請求項７４に記載の方法。
【請求項７６】
前記登録情報は、使用条件の承諾、ユーザ名、またはユーザ識別のうちの少なくとも１つを含む、請求項６６に記載の方法。
【請求項７７】
前記１つ以上の登録プランの各々は、時間ベースのプラン、賦課方式プラン、またはフリーアクセスプランのうちの１つに関連付けられている、請求項６６に記載の方法。
【請求項７８】
拡張可能認証プロトコル（ＥＡＰ）方法を使用して、外部ネットワークに登録するための装置であって、プロセッサを備え、
前記プロセッサは、
１つ以上の登録プランをネットワークエンティティから受信することと、
登録プランを前記１つ以上の登録プランから選択することと、
前記ＥＡＰ方法を使用して、前記デバイスに関連付けられた登録情報を前記ネットワークエンティティに送信することであって、前記登録情報は、選択された登録プランに基づいて選択される、ことと
を行うように構成されている、
装置。
【請求項７９】
前記ネットワークエンティティは、アクセスポイントである、請求項７８に記載の装置。
【請求項８０】
前記ＥＡＰ方法は、トンネル化された認証プロトコルである、請求項７８に記載の装置。
【請求項８１】
前記ＥＡＰ方法は、無線ネットワークのホットスポットアクセスのための認証フレームワークを提供する、請求項７８に記載の装置。
【請求項８２】
前記プロセッサは、タイプ−長さ−値（ＴＬＶ）構造形式を使用して、前記１つ以上の登録プランを受信し、前記登録情報を送信するように構成されている、請求項７８に記載の装置。
【請求項８３】
前記プロセッサは、タイプ−長さ−値（ＴＬＶ）構造形式を使用して、支払要件を受信し、前記支払要件に応答して支払情報を送信するように構成されている、請求項７８に記載の装置。
【請求項８４】
前記プロセッサは、タイプ−長さ−値（ＴＬＶ）構造形式を使用して、プロビジョニング要件を受信し、前記プロビジョニング要件に応答してプロビジョニング情報を送信するように構成されている、請求項７８に記載の装置。
【請求項８５】
前記ネットワークエンティティは、ローカルエリアネットワークへのアクセスを提供する、請求項７８に記載の装置。
【請求項８６】
前記１つ以上の登録プランは、前記デバイスを前記ローカルエリアネットワークと通信する外部ネットワークに登録することに関連付けられている、請求項８５に記載の装置。
【請求項８７】
前記外部ネットワークは、サービスプロバイダネットワークであり、前記サービスプロバイダネットワークは、前記デバイスに利用可能な加入ベースのサービスに基づいて動作し、前記デバイスに利用可能な加入ベースのサービスは、前記１つ以上の登録プランに基づいている、請求項８６に記載の装置。
【請求項８８】
前記登録情報は、使用条件の承諾、ユーザ名、またはユーザ識別のうちの少なくとも１つを含む、請求項７８に記載の装置。
【請求項８９】
前記１つ以上の登録プランの各々は、時間ベースのプラン、賦課方式プラン、またはフリーアクセスプランのうちの１つに関連付けられている、請求項７８に記載の装置。
【発明の詳細な説明】
【技術分野】
【０００１】
（関連出願）
本願は、米国仮特許出願第６１／２２６，２０８号（２００９年７月１６日出願）の利益を主張する。該出願は、その全体が参照により本明細書に援用される。
【０００２】
（開示の分野）
本開示は、概して、ネットワーク通信に関し、より具体的には、無線ネットワーク環境において、外部ネットワークに登録するための方法および装置に関する。
【背景技術】
【０００３】
無線ローカルエリアネットワーク（ＷＬＡＮ）等の無線ネットワークの配備により、無線端末が、これらの無線ネットワークの無線通信信号の近くにある場合に、ネットワークおよびインターネットサービスにアクセスすることが可能になる。小売環境または他の公共アクセス可能な設立物に場所するもの等の、商業的に利用可能なＷＬＡＮは、無線端末が、ＷＬＡＮおよびこうしたＷＬＡＮを介してアクセス可能な外部ネットワーク（例えば、サービスプロバイダネットワーク、キャリアネットワーク等）との通信を確立することを可能にするように、セキュアではないモードで動作している。このセキュアではない動作モードにより、無線端末は、無線端末の外部ネットワークとの登録を可能にするために、インターネットプロトコル（ＩＰ）アドレスおよびハイパーテキスト伝送プロトコル（ＨＴＴＰ）を使用する高度な通信により、外部ネットワークとの接続および登録情報の取り決めを行うことが可能になる。しかしながら、高度な通信を使用するそのようなセキュアでない動作モードは、秩序ある決定論的な無線端末登録のために作成されたネットワークプロシージャを迂回しようとする悪意のある攻撃または他の望ましくないアクティビティに対し、外部ネットワークを脆弱にしている。
【発明の概要】
【課題を解決するための手段】
【０００４】
以下は、他の構成要素の中でも、ハードウェア上で実行されるソフトウェアを含む例示的方法および装置を開示するが、そのような方法および装置は、例示的なものに過ぎず、制限するものとして考慮すべきではないことに留意されたい。例えば、これらのハードウェアおよびソフトウェア構成要素のうちのいずれかまたは全てを、ハードウェアのみ、ソフトウェアのみ、ファームウェアのみ、またはハードウェア、ソフトウェア、および／またはファームウェアのいずれかの組み合わせで具現化できることが想定される。したがって、以下は、例示的方法および装置について説明しているが、当業者は、挙げられている実施例が、そのような方法および装置を実装するための唯一の方法ではないことを容易に理解されよう。
【０００５】
本明細書に説明される例示的方法および装置は、無線ネットワーク環境を介して、外部ネットワークに登録するために、無線端末によって使用可能である。本明細書に説明される例示的方法および装置は、モバイル通信デバイス、モバイルコンピューティングデバイス、または無線ネットワークと無線で通信可能ないずれかの他のデバイスに関連して使用できる。端末、無線端末、またはユーザ機器（ＵＥ）とも称されるそのようなデバイスは、モバイルスマートフォン（例えば、ＢＬＡＣＫＢＥＲＲＹ（登録商標）スマートフォン）、無線携帯端末（ＰＤＡ）、無線アダプタを伴うラップトップ／ノートブック／ネットブックコンピュータ等を含み得る。例示的方法よび装置は、とりわけ、外部ネットワークとの相互作用を定義する、ＩＥＥＥ（登録商標）（電気電子技術者協会）８０２．１１として知られる無線ローカルエリアネットワーク（ＷＬＡＮ）通信規格と関連して、本明細書では説明される。しかしながら、加えて、または代替として、例示的方法および装置は、他のＷＬＡＮ規格、パーソナルエリアネットワーク（ＰＡＮ）規格、ワイドエリアネットワーク（ＷＡＮ）規格、またはセルラー通信規格を含む、他の無線通信規格と関連して実装され得る。
【０００６】
本明細書に説明される例示的方法および装置は、ネットワーク接続性のためにＷＬＡＮアクセスを提供するいずれの環境でも実装できるが、ＷＬＡＮアクセス場所または環境に入るおよび出る際に、それぞれの無線端末を持ち運ぶ１人以上のユーザがＷＬＡＮに頻繁に接続および接続切断することが予想されるＷＬＡＮアクセス場所または環境において、例示的方法および装置を有利に実装できる。ＷＬＡＮ場所または環境は、ＷＬＡＮ信号の通信可能範囲内の場所または環境を指す、「ホットスポット」として知られることがある。そのような例示的ＷＬＡＮ場所または環境は、コーヒーショップ、小売店、教育施設、オフィス環境、空港、公共鉄道の駅および車両、ホテル等を含む。そのようなＷＬＡＮは、多くの場合、加入ベースのサービスプロバイダによって所有および／または運営される、外部ネットワーク（または、ＷＬＡＮ対応ネットワーク）に関連付けられるか、またはそのアクセスをサポートする。例えば、外部ネットワークは、料金（例えば、月額料金）に対して、加入ベースのインターネットアクセスを提供する、インターネットアクセスサービスプロバイダまたは電気通信事業者／サービスプロバイダによって所有および／または運営されることが可能である。このように、そのようなサービスに加入している加入者／ユーザは、加入者が、適切な無線端末によって、ＷＬＡＮの通信に接近している場合、そのような加入に基づいて、無線ネットワークアクセスおよび／またはインターネットアクセスサービスにアクセス可能である。いくつかの事例では、外部ネットワークの所有者／運営者は、賦課方式または使用回数方式の支払と引き換えに、加入なしに、一時的外部ネットワークアクセスを可能にする。
【０００７】
ＷＬＡＮホットスポットのアクセスポイント（ＡＰ）を介して、無線端末を外部ネットワークに登録するための公知の技術または規格に関連付けられるユーザ経験は、多くの場合、苛々させられるものであり得る。例えば、多くの場合、無線ネットワーク識別子（例えば、ＩＥＥＥ（登録商標）８０２．１１サービスセット識別子（ＳＳＩＤ）パラメータ）を正確に発見することが必要であり、また、ログイン認証情報、無線端末情報、個人情報（例えば、氏名および郵便住所）、支払情報（例えば、クレジットカード番号、口座番号、プリペイドアカウント番号、クーポン番号等）、使用条件の承諾等の登録情報を提供する必要があり得る。そのような登録情報は、ホットスポットのＡＰ支援の外部ネットワークに接続するために要求される情報として、ホットスポット所有者／プロバイダによって選択され得る。
【０００８】
いくつかの事例では、無線端末は、要求される登録情報をローカルに事前格納し、外部ネットワークに対応するＷＬＡＮホットスポットの検出に応じて、無線端末を外部ネットワークに自動的に登録可能にし得る。このように、本明細書に説明される例示的方法および装置は、有利には、ユーザに登録情報を入力可能にするためのディスプレイまたはユーザ入力インターフェースを提供しない、無線端末との接続において利用可能である。例えば、８０２．１１ベースの無線イーサネット（登録商標）ポータブル音楽プレーヤは、ユーザインターフェースを提供し、ストリーミング音楽局の選択を可能にし得るが、ユーザインターフェースは、他のタイプのユーザ入力情報（例えば、登録情報の入力）を可能にするためには、十分には高度ではない場合がある。しかしながら、本明細書に説明される方法および装置は、ポータブル音楽プレーヤが、登録のために、その外部ネットワークによって要求される登録情報のすべてをその中に事前に格納している場合、そのようなポータブル音楽プレーヤを、ＷＬＡＮホットスポットを介して、外部ネットワークに登録可能にする。
【０００９】
他の事例では、本明細書に説明される例示的方法および装置は、要求される登録情報の一部のみを事前に格納しているか、または登録情報を全く格納していない、無線端末との接続において使用可能である。そのような例示的実装の場合、ユーザは、無線端末のユーザインターフェースを介して、要求される登録情報の一部または全部を提供するように指示され得る。
【００１０】
無線端末を外部ネットワークに登録するための従来の技法は、典型的には、無線端末が、登録または認証される前に、ＩＰアドレスを無線端末に割り当てるステップを伴う。割り当てられたＩＰアドレスは、無線端末上でＨＴＴＰベースのウェブページの起動を可能にし、ユーザに、無線端末を外部ネットワークに登録するために要求される、登録認証情報（例えば、ユーザ名／パスワード、支払情報、個人ユーザ情報等）を手動で入力することを要求する。典型的には、そのような従来のＩＰアドレスベースの登録技法は、ＨＴＴＰＳ（すなわち、セキュアソケットレイヤ（ＳＳＬ）プロトコル上のＨＴＴＰプロトコル）を使用して、セキュアなブラウザ接続を介して行われる。無線端末を登録または認証する前に、ＩＰアドレスのプロビジョニングを有効化するために、ＷＬＡＮ  ＡＰは、オープンなセキュアでないモードで動作しなければならず、情報は、ユーザ認証またはデバイス認証を伴わずに、ＩＰベースの通信を介して、交換され得る。ＷＬＡＮ技術がさらに、様々な場所に配備されるのに伴って、オープンなセキュアでないアクセスは、ＷＬＡＮホットスポットプロバイダにとってますます興味のあるものではなくなるであろう。例えば、そのようなオープンなセキュアでないアクセスは、多くの場合、悪意のあるまたはいたずらをするユーザによって、悪意を持って利用され得る、ＷＬＡＮ対応ネットワークへの特定の脆弱性を生じさせる可能性がある。すなわち、ユーザは、ＩＰまたはＨＴＴＰ通信あるいは割り当てられたＩＰアドレスに基づいてアクセス可能な他の通信プロトコルに基づく、認証バイパス技術を使用して、ホットスポットもしくはネットワークリソースにスプーフィング可能である。したがって、完全にセキュアでないアクセスは、使用されなくなるまで、その使用が経時的に減少し得るほど十分望ましくないことが分かるであろう。
【図面の簡単な説明】
【００１１】
【図１】図１は、複数の無線ローカルエリアネットワークアクセス場所が１つ以上のネットワークに通信可能に連結された例示的通信ネットワークを描写する。
【図２】図２は、例示的通信層アーキテクチャを描写する。
【図３】図３は、図１の外部ネットワークおよび無線端末を使用して実装される、例示的登録プラン選択プロセスを描写する。
【図４】図４は、無線端末をそれらの外部ネットワークに登録可能にする、サービスプロバイダによって選択可能な複数の例示的登録パラメータを示す、例示的登録パラメータデータ構造を描写する。
【図５】図５は、本明細書に説明される例示的方法および装置を実装するために使用され得る、例示的無線端末を描写する。
【図６】図６は、本明細書に説明される例示的方法および装置を実装するために使用され得る、例示的無線アクセスポイントを描写する。
【図７Ａ】図７Ａおよび７Ｂは、無線ネットワークを介して、無線端末を外部ネットワークに登録するために使用され得る、例示的プロセスを表す、工程図を描写する。
【図７Ｂ】図７Ａおよび７Ｂは、無線ネットワークを介して、無線端末を外部ネットワークに登録するために使用され得る、例示的プロセスを表す、工程図を描写する。
【図８】図８は、無線ネットワークを介して、無線端末を外部ネットワークに登録するための登録プランを選択するために使用され得る、例示的プロセスを表す、工程図を描写する。
【発明を実施するための形態】
【００１２】
従来のネットワーク登録技法と異なり、本明細書に説明される例示的方法および装置は、セキュアでないＩＰ通信に基づくセキュリティ脆弱性を実質的に低減または排除することによって、セキュアでないアクセスよりセキュアかつ信頼性のある様式において、無線端末を外部ネットワークに登録するために使用可能である。加えて、例示的方法および装置は、無線端末を外部ネットワークに登録するためのユーザ関与への依存を実質的に低減または排除し、それによって、ホットスポットによって提供され得る、無線ネットワークサービスによるユーザ経験を改善可能である。例示的方法および装置を有利に使用可能な例示的シナリオを、図１に関連して、以下に説明する。
【００１３】
次に図１を参照すると、本明細書に説明される例示的方法および装置を実装し得る、例示的通信ネットワーク１００が示される。図１に示されるように、例示的通信ネットワーク１００は、それぞれのアクセスポイント１０４ａ−ｃを介して、１つ以上のネットワーク（例えば、ＷＬＡＮ対応ネットワークまたは外部ネットワーク）へのアクセスを提供する、複数のＷＬＡＮアクセス場所１０２ａ−ｃを含む。例証される実施例では、アクセスポイント（ＡＰ）１０４ａは、プライベートネットワーク１０６ａへのアクセスを提供し、順に、加入サービスプロバイダネットワークＡ（ＳＳＰＮ−Ａ）１０８ａへのアクセスを提供する。また、例証される実施例では、ＡＰ１０４ｂは、プライベートネットワーク１０６ｂへのアクセスを提供し、順に、加入サービスプロバイダネットワークＢ（ＳＳＰＮ−Ｂ）１０８ｂへのアクセスを提供する。ＳＳＰＮ１０８ａ−ｂは、データ加入サービスプロバイダ、インターネット加入サービスプロバイダ、媒体（例えば、オーディオ／ビデオ）加入サービスプロバイダ、無線通信加入サービスプロバイダ、またはいずれかのその組み合わせによって、所有および／または運営され得る。
【００１４】
ＡＰ１０４ｃは公共ネットワーク１１０へのアクセスを提供し、インターネット１１２へのアクセスを提供するように示される。図示していないが、ＡＰ１０４ａ−ｃはそれぞれ、ＡＰステーション（すなわち、ＡＰ  ＳＴＡ）が提供されており、これは、無線媒体に接続する、ネットワークアダプタまたはネットワークインターフェースカード（ＮＩＣ）等のインターフェースまたは構成要素である。本明細書に説明される例証される実施例では、ＡＰ１０４ａ−ｃはそれぞれ、それぞれのＡＰ  ＳＴＡを含む一方、ＡＰ１０４ａ−ｃと通信する無線端末１１４は、非ＡＰステーション（すなわち、非ＡＰ  ＳＴＡ）を含む。
【００１５】
ＷＬＡＮアクセス場所１０２ａ−ｃはそれぞれ、異なる登録プラン（図３に示される）に関連付けられ得る。図３に関連して説明されるように、各登録プランは、登録プランに基づいて、ＡＰ１０４ａ−ｃを通して、ネットワーク１０６ａ、１０６ｂ、および／または１１０に登録するために、無先端末１１４の要求される登録情報を示す、一式の登録パラメータを含む。登録プランおよびそれらの対応する一式の登録パラメータは、例えば、加入使用プラン、所望のセキュリティレベル、事業目的等、異なる要因に基づいて、ネットワーク１０６ａ、１０６ｂ、および１１０のそれぞれの所有者または運営者によって選択されることが可能である。例えば、サービスプロバイダＡが、そのサービスの加入者のみに、ＳＳＰＮ−Ａ  １０８ａへのアクセスを可能にする場合、プライベートネットワーク１０６ａは、ユーザのネットワークサービス加入をサービスプロバイダＡと確認するために使用可能な登録情報を要求する、登録プランの選択を要求し得る。そのような登録情報は、ユーザ名、現住所、電子メールアドレス、電話番号等を含み得る。故に、ＡＰ１０４ａと接続するために、無線端末１１４は、サービスプロバイダＡによって規定される基準に一致しなければならず、そうでなければ、ＡＰ１０４ａとの接続は、許可されない。プライベートネットワーク１０６ｂは、ＳＳＰＮ  １０８ｂを運営する、サービスプロバイダＢとの異なるタイプの契約合意を有し、一時的またはゲスト登録を可能にし得る。そのような事例では、プライベートネットワーク１０６ｂは、無線端末１１４を一時的にＡＰ  １０４ｂに接続し、プライベートネットワーク１０６ｂおよびＳＳＰＮ−Ｂ  １０８ｂに登録可能にする、登録プランの選択を可能にし得る（例えば、料金（無料）アクセスプラン、賦課方式アクセスプラン、他の購入に付帯する無料アクセスプラン等に基づいて）。いずれの場合も、そのような異なる登録プランは、異なるネットワークアクセス課金／料金設定構造または異なる無線デバイスローミング合意に関するものであり得る。公共ネットワーク１１０等のいくつかのネットワークは、殆どまたは全くない登録情報に基づいて、無線端末の登録を可能にし得る。
【００１６】
本明細書に説明される例示的方法および装置はまた、有利には、無線端末１１４が、任意の事前知識を有すること、あるいはそれぞれのＷＬＡＮアクセス場所を介して、異なる外部ネットワークに登録ステップに関連付けられた異なる一式または一覧の登録要件によって、事前構成もしくは事前ロードされる必要なく、異なるＷＬＡＮアクセス場所（例えば、ＷＬＡＮアクセス場所１０２ａ−ｃ）の間を移動可能にするために使用することができる。このように、無線端末１１４は、以前に遭遇していない、または無線端末１１４とＡＰとの間の以前のアクセスセッション以降に、要求される登録パラメータが変更された、任意のＡＰから、異なる登録プランおよび関連付けられた要求される登録情報を動的に受信または学習可能である。
【００１７】
概して、ＷＬＡＮアクセス場所１０２ａとの接続において示されるように、無線端末１１４は、登録要求メッセージ１１６をＡＰ１０４ａに通信し、それぞれ、プライベートネットワーク１０６ａおよび／またはＳＳＰＮ−Ａ  １０８ａによって要求される登録情報を示す、それぞれの一式の登録パラメータを含み、無線端末１１４の登録を可能にする、１つ以上の選択可能登録プラン１１９（例えば、図３に関連して後述される、登録プランＡ−Ｃ  ３０６ａ−ｃ）を含む、登録応答メッセージ１１８を受信可能である。次いで、無線端末１１４は、選択された（例えば、ユーザ選択または端末選択）登録プランと、選択された登録プランによって要求されるように示される登録情報とを含む、登録情報メッセージ１２０をＡＰ１０４ａに通信する。ＡＰ１０４ａが、登録情報メッセージ１２０を介して提供された登録情報が、無線端末１１４のネットワーク登録を許可する、または許可しないことをプライベートネットワーク１０６ａおよび／またはＳＳＰＮ−Ａ  １０８ａと検証後、ＡＰ１０４ａは、登録状態メッセージ１２２を無線端末１１４に通信する。登録状態メッセージ１２２は、無線端末１１４にネットワーク登録が成功したか失敗したかを示す。加えて、ネットワーク登録が失敗した場合、登録状態メッセージ１２２はまた、ネットワーク登録を失敗させた無効登録情報の一覧を含むことが可能である。このように、無線端末１１４は、無効と示された登録情報に対して、異なる情報を提供可能である。
【００１８】
図１の例証される実施例では、無線端末１１４は、登録状態（例えば、無線端末１０４が、ＡＰ１０４ａに登録している間）、発見状態（例えば、無線端末１０４が、ＡＰ１０４ａの能力を発見する過程にある間）、プロビジョニング状態（例えば、無線端末１０４が、外部ネットワークとプロビジョニング過程にある間）、またはアクセス状態（例えば、無線端末１０４が、ＡＰを介して、ネットワークアクセスを取得し、その後、ＡＰに接続された外部ネットワークに登録することを選択した後）のうちの少なくとも１つで動作する間、メッセージ１１６、１１８、１２０、および１２２を交換し得る。
【００１９】
例証される実施例では、メッセージ１１６、１１８、１２０、および１２２は、ＡＰ１０４ａとの接続のために、無線端末１１４を認証するために使用される認証プロセスに先立って、その間、またはその後に交換可能である。本明細書に説明される例示的方法および装置と関連して、認証プロセスを実装するために使用され得る、例示的方法および装置は、２００９年７月１６日出願の米国仮出願第１２／５０４，５００号「Ｍｅｔｈｏｄｓ  ａｎｄ  Ａｐｐａｒａｔｕｓ  ｔｏ  Ｄｉｓｃｏｖｅｒ  Ａｕｔｈｅｎｔｉｃａｔｉｏｎ  Ｉｎｆｏｒｍａｔｉｏｎ  ｉｎ  ａ  Ｗｉｒｅｌｅｓｓ  Ｎｅｔｗｏｒｋｉｎｇ  Ｅｎｖｉｒｏｎｍｅｎｔ」に説明されており、これは、参照することによって、全体として本明細書に組み込まれる。加えて、メッセージ１１６、１１８、１２０、および１２２は、拡張可能認証プロトコル（ＥＡＰ）方法（例えば、ＩＥＥＥ  ８０２．１Ｘ上のＥＡＰ）を介して、交換可能である。ＥＡＰ方法は、無線ネットワークおよび２地点間接続において使用可能な汎用認証フレームワークを使用して実装される。特に、メッセージ１１６、１１８、１２０、および１２２は、内部ＥＡＰ方法を介して通信可能である。そのような内部ＥＡＰ方法は、ＥＡＰ−ＷＩＳＰ（無線インターネットサービスプロバイダ）であって、ＥＡＰを拡張するために使用され、ホットスポットアクセスのための付加的機能を提供可能である。本技法は、トンネル化されたＥＡＰ方法（例えば、ＥＡＰ−ＦＡＳＴ、ＰＥＡＰ、ＥＡＰ−ＴＴＬＳ）を使用して、ホットスポットを介して、ネットワーク登録を提供する。このように、登録情報は、ＩＰアドレスを最初に割り当てた後、無線端末から登録情報を読み出すために、従来の技法において使用される上位通信層（例えば、図２のアプリケーション層２１０）ではなく、下位通信層（例えば、図２のデータリンク層２０２）を介して、無線端末（例えば、図１の無線端末１１４）によって提供可能である。
【００２０】
図２を参照すると、例えば、公知のオープンシステム相互接続（ＯＳＩ）参照モデルに従って実装され得る、７つの層を有するものとして、例示的通信層アーキテクチャ２００が示される。図１の無線端末１１４は、例示的通信層アーキテクチャ２００の基づいて、図１のＡＰ１０４ａ−ｃと通信可能である。例証される実施例では、通信層アーキテクチャ２００は、媒体アクセス制御（ＭＡＣ）サブ層２０４を含む、データリンク層２０２を含む。無線端末（例えば、図１の無線端末１１４）が、ネットワーク登録メッセージ２０６（例えば、図１のメッセージ１１６、１１８、１２０、および１２２）を無線ＡＰ（例えば、図１の無線ＡＰ  １０２ａ−ｃ）と交換可能にするために、本明細書に説明される例示的方法および装置を使用して、ＭＡＣサブ層２０４において、登録情報（例えば、登録情報１２０）を提供するステップを含む、動作またはプロセスを行うことが可能である。すなわち、無線端末は、ＩＰ層（例えば、ネットワーク層２０８）またはそれより上位における動作を使用する必要なく、またはそのような登録プロセスの際、別様にＩＰ層へのアクセスを提供する必要なく、無線ＡＰに登録し、ＭＡＣサブ層２０４において、登録情報を無線ＡＰと通信することを要求可能である。
【００２１】
ＨＴＴＰまたは他のＩＰプロセスを使用して、ログインウェブサイトおよび／または使用条件ウェブサイトに通信する、いくつかの登録技法は、通信層アーキテクチャ２００のネットワーク層２０８（例えば、ＩＰ層）とアプリケーション層２１０との間およびそれらを含む層のうちの１つ以上において、無線端末（例えば、図１の無線端末１１４）と無線ＡＰ（例えば、ＡＰ１０４ａ）との間の接続を確立することを要求する。しかしながら、そのような技法は、多くの場合、悪意のあるまたはいたずらをするユーザによって、悪意を持って利用され得る、ＷＬＡＮ対応ネットワークまたは外部ネットワーク（例えば、プライベートネットワーク１０６ａ−ｂのうちの１つ）に対して、ある脆弱性をもたらす可能性がある。すなわち、ユーザは、ＩＰまたはＨＴＴＰ通信あるいはネットワーク層２０８またはその上位における他の通信プロトコルに基づいて、認証バイパス技法を使用して、ネットワークリソースにアクセス可能である。本明細書に説明される例示的方法および装置を使用して、登録メッセージ２０６（例えば、図１のメッセージ１１６、１１８、１２０、および１２２）を交換し、ＭＡＣサブ層ネットワーク接続を使用して、無線端末を無線ＡＰに登録し、ユーザが認証プロセスをバイパスすることを比較的により困難または不可能にすることが可能である。
【００２２】
加えて、ネットワーク層２０８またはその上位に実装される認証技法は、ＭＡＣサブ層２０４における実装プロセスより比較的多くの無線端末の処理電力を要求する。モバイルスマートフォン、ＰＤＡ等のモバイル無線端末（例えば、図１の無線端末１１４）は、多くの場合、交流（ＡＣ）電源を使用して給電される固定場所コンピューティングデバイスよりも比較的限られたプロセッササイクルおよび少ない利用可能な電源を有する。本明細書に説明される例示的方法および装置は、有利には、モバイル無線端末をより効率的に動作させ（すなわち、より少ないプロセッササイクルでより多くを行う）、したがって、バッテリ電力の使用を最小限にするように、構成、設計、または工作するために使用可能である。すなわち、本明細書に説明される例示的方法および装置は、有利には、比較的より少ない電力を消費し、比較的より大きい効率性で動作するモバイル無線端末設計を促進するために使用可能である。例えば、ＭＡＣサブ層２０４における低レベルリソース動作は、アプリケーション層２１０におけるユーザインターフェース集約およびオペレーティングシステム（ＯＳ）集約動作（例えば、ウェブブラウザ動作）よりも比較的より少ないシステムリソースを要求する。
【００２３】
ＭＡＣサブ層２０４を使用して、無線端末を無線ＡＰに登録する別の例示的利点は、登録プロセスが、ユーザ関与なしまたは最小のユーザ関与によって、特定のＡＰへの接続がそのＡＰによって公表された要求された登録情報に基づき、かつＡＰ支援のネットワークによって要求され得る、オプションであるかどうかを判定可能であるということである。例えば、ＡＰ１０４ａが、加入者の有効電子メールアドレスを要求することを示す、登録パラメータを公表し、無線端末１１４が、その中に事前に格納された有効電子メールアドレスを有していない場合、無線端末１１４は、ＡＰ１０４ａによって公表された登録要件を満たすために十分ではない事前に格納された情報を含むため、無線端末１１４は、登録を見合わせ、ＡＰ１０４ａの存在を無視するように構成可能である。したがって、無線端末１１４は、無線端末１１４が要求された登録情報を伴わずに、ＡＰ１０４ａに接続することが不可能であろう場合、無線端末１１４によって開始されたＷＬＡＮ発見プロセスの際、そのユーザに、ＡＰ１０４ａのＳＳＩＤを通知しないように構成可能である。そのような実装は、そのような接続が、登録のために、無線端末１１４に利用可能な認証情報に基づいて、不可能である場合、いずれの接続試行にもユーザは関与しないため、ユーザの苛立ちを実質的に低減または排除する。
【００２４】
ＳＳＩＤは、上述の実施例および後述される他の実施例に関連して使用されるが、ＡＰは、代替として、均質拡張サービスセット識別子（ＨＥＳＳＩＤ）をブロードキャストするように構成され得る。ＨＥＳＳＩＤは、特定のＡＰに関連付けられるＳＳＩＤと、サポートされるＳＳＰＮに対応するネットワーク識別とを含む。例えば、図１のＡＰ１０４ａが、ＨＥＳＳＩＤをブロードキャストするように構成される場合、ＡＰ１０４ａのＳＳＩＤおよびＳＳＰＮ−１０８ａに対応するネットワーク識別を含む。
【００２５】
本明細書に説明される例示的方法および装置の他の例示的利点は、無線端末１１４が、動作の際、登録情報および／または支払情報を動的に学習するステップを伴うことである。例えば、ＡＰ１０４ａが、加入者の有効電子メールアドレスを要求することを示す登録パラメータを公表し、無線端末１１４が、その中に事前に格納された有効電子メールアドレスを有していない、上述のシナリオでは、無線端末１１４は、ユーザに、電子メールアドレスを要望するように構成可能である。次いで、無線端末１１４は、ユーザの電子メールアドレスを学習し、将来的使用のために、それをメモリ内に格納可能である。例えば、無線端末１１４は、後続登録プロセスの際、ＡＰ１０４ａが電子メールアドレスを要求する時は常時、その電子メールアドレスが使用されることを学習可能である。すなわち、無線端末１１４は、その後、ユーザに電子メールアドレスを再要求する必要なく、ＡＰ１０４ａと接続するために、ユーザ提供電子メールアドレス等の事前に格納され、学習した情報を含む、ローカルプロファイルと関連して、ＡＰ１０４ａの識別子を作成および格納可能である。加えて、万が一、ユーザが、電子メールアドレスを提供しないことを選択する場合、ＡＰ１０４ａはまた、ＡＰ１０４ａとの後続登録開始の際、無線端末１１４が、電子メールアドレスを提供しないことを選択したことを記憶し、かつユーザが、ＡＰ１０４ａに接続しようとする際、その後、再び苛立を覚えることがないように、ユーザからの本種類の応答を学習および記憶可能である。
【００２６】
図３は、図１のＳＳＰＮ−Ａ  １０８ａ外部ネットワークおよび無線端末１１４を使用して実装される、例示的登録プラン選択プロセスを描写する。例証される実施例では、ＳＳＰＮ−Ａ  １０８ａは、プランスキーマデータ記憶装置３０２を含み、登録パラメータデータ構造３０４および任意の数の異なる登録プラン（例えば、登録プランＡ−Ｃ  ３０６ａ−ｃおよび／または図示されない任意の他の登録プラン）を格納する。プランスキーマデータ記憶装置３０２は、異なる登録パラメータ３０８ａ−ｅを含み、それぞれ、ＳＳＰＮ−Ａ  １０８ａに登録するために、サービスプロバイダＡによって選択され、無線端末から必要とされる特定の登録情報を示すことが可能である。例えば、登録プランＡ  ３０６ａを生成するために、サービスプロバイダＡは、サービスプロバイダＡが、登録プランＡ  ３０６ａを使用して、無線端末から要求したい登録要件に基づいて、登録パラメータ３０８ａ−ｅのサブセットを選択可能である。例証される実施例では、選択可能登録パラメータ３０４は、登録プランタイプ３０８ａ、使用条件要件３０８ｂ、サインアップ情報３０８ｃ、支払情報３０８ｄ、およびプロビジョニング情報３０８ｅを含む。パラメータのそれぞれに対して可能性のある状態に関するさらなる詳細は、後述の図４に示される。登録パラメータ３０４はまた、外部ネットワークＳＳＰＮ−Ａ  １０８ａに正常に登録されたかどうかを、無線ＡＰが無線端末に通信可能な登録結果入力３１０を含む。
【００２７】
登録パラメータ３０４および登録プランＡ−Ｃ  ３０６ａ−ｃのそれぞれは、拡張マークアップ言語（ＸＭＬ）構造を使用して、編成可能である。このように、ＡＰ１０４ａおよび無線端末１１４は、ＸＭＬ形式を使用して、登録要件および登録情報を交換可能である。代替として、登録パラメータ３０４および登録プランＡ−Ｃ  ３０６ａ−ｃのそれぞれは、一式の列挙されたタイプとして編成可能であって、ＡＰ１０４ａおよび無線端末１１４は、タイプ−長さ−値（ＴＬＶ）構造形式を使用して、登録要件および登録情報を交換可能である。例えば、ＡＰ１０４ａは、無線端末１１４への通信のために（例えば、登録応答メッセージ１１８を介して）、ＥＡＰ  ＴＬＶタイプ構造内に登録パラメータ３０４のうちのいくつかをカプセル化可能であって、無線端末１１４は、ＡＰ１０４ａへの通信のために（例えば、登録情報メッセージ１２０を介して）、ＥＡＰ  ＴＬＶタイプ構造内に登録情報をカプセル化可能である。
【００２８】
登録プランＡ−Ｃ  ３０６ａ−ｃはそれぞれ、ＳＳＰＮ−Ａ  １０８ａに登録するために、無線端末から異なる登録情報を要求するために使用可能である。無線端末から異なる登録情報を要求するために選択可能な例示的登録パラメータは、図４に示される。図４を簡単に参照すると、登録パラメータデータ構造３０４が、詳細に示される。例証される実施例では、登録プランタイプ３０８ａは、フリープランタイプ、時間ベースのプランタイプ、賦課方式プランタイプ、または無制限プランタイプとして選択可能である。使用条件要件３０８ｂは、ユーザが、ユーザの無線端末の登録を許可する前に、使用条件を承諾することが要求されるかどうかを示す、ユーザ承認オプションを含む。サインアップ情報３０８ｃは、氏名（名前、名字、頭文字）パラメータ、ユーザ名／パスワードパラメータ、電子メールパラメータ、電話番号である。パラメータは、現住所パラメータ、クレジットカード情報パラメータ、支払トークン番号パラメータ、ホテルの部屋番号パラメータ、アクセスコードパラメータ、およびアクセス制限パラメータである。
【００２９】
支払情報３０８ｄは、ユーザが、ユーザの無線端末の登録を許可するのに先立って、支払または支払の約束を提供することが要求されるかどうかを示すための支払要件オプションパラメータを含む。支払情報は、ＥＡＰトンネル内において、セキュアに交換可能である。例えば、セキュアエレクトロニックトランザクション（ＳＥＴ）プロトコルまたはインターネットオープントレーディングプロトコル（ＩＯＴＰ）（例えば、ＲＦＣ  ３５３８に定義されるように）は、ホットスポットアクセスの支払のためのクレジットカード取引を処理するために使用され得る。そのようなメッセージは、支払要求／応答ＴＬＶ形式メッセージ（または、ＸＭＬ形式メッセージ）を使用して、ＥＡＰ転送ペイロード内にカプセル化され得る。
【００３０】
プロビジョニング情報３０８ｅは、無線端末が、無線端末を外部ネットワークに登録可能にするために、外部ネットワーク（例えば、ＳＳＰＮ−Ａ  １０８ａ）によってプロビジョニングされなければならないかどうかを示すためのプロビジョニング要件オプションパラメータを含む。無線端末のプロビジョニングは、外部ネットワークとの無線端末のための永続接続を確立または設定するステップを伴う。例えば、図１の例証される実施例では、無線端末１１４がＳＳＰＮ−Ａ  １０８ａに登録される初期登録プロセスの際、接続が、無線端末１１４のために、ＳＳＰＮ−Ａ  １０８ａにおいていプロビジョニングされると、無線端末１１４は、ＡＰ１０４ａの近傍にある時は常時、そのプロビジョニングされた接続を常に利用可能にするであろう。このように、無線端末１１４は、その後、ＷＬＡＮアクセス場所１０２ａに訪問の際、ＳＳＰＮ−Ａ  １０８ａに再登録する必要はない（例えば、図１の登録情報１２０を再提供する必要はない）。代わりに、無線端末１１４が、ＡＰ１０４ａの近傍内に戻り、ＳＳＰＮ−Ａ  １０８ａに接続することを要求する時は常時、ＳＳＰＮ−Ａ  １０８ａは、無線端末１１４によって提供される、一意の識別情報（例えば、電子シリアル番号、国際移動体装置識別（ＩＭＥＩ）番号、電話番号、ユーザ名／パスワード等）に基づいて、以前にプロビジョニングされた接続を介して、無線端末１１４を再接続可能にするであろう。図３の例証される実施例では、ＳＳＰＮ−Ａ  １０８ａは、プロビジョニングされた無線端末のためのプロビジョニング情報を格納するプロビジョニングデータ記憶装置３１１が提供される。キャプティブポータル認証情報のプロビジョニングは、トンネル化されたＥＡＰ方法内のプロビジョニング要求／応答ＴＬＶ形式メッセージを使用して行うことが可能である。認証情報プロビジョニングは、無線端末１１４を有効クライアント証明書を取得するための認証局に登録可能にする、キーラップされた認証情報を外部ネットワークから無線端末１１４に送信するか、またはプロキシ自動構成（ＰＡＣ）ファイルをプロビジョニングことによって行うことが可能である。
【００３１】
図３の例証される実施例に戻ると、例示的登録プランＡ  ３０６ａは、ＳＳＰＮ−Ａ  １０８ａによって、（ａ）無制限データアクセスを提供する（例えば、図４に示される登録プランタイプ３０８ａの無制限プラン）、（ｂ）無線端末に、ユーザ承諾使用条件を提供することを要求しない（例えば、使用条件要件３０８ｂ）、（ｃ）無線端末が、名前、名字、電子メールアドレス、および電子メールアドレス確認を提供することを要求する（例えば、サインアップ情報３０８ｃ）、（ｄ）支払を要求しない（例えば、支払情報３０８ｄ）、および（ｅ）プロビジョニングを要求する（例えば、プロビジョニング情報３０８ｅ）ように構成され得る。
【００３２】
例示的登録プランＢ  ３０６ｂは、ＳＳＰＮ−Ａ  １０８ａによって、（ａ）時間ベースのデータアクセスを提供する（例えば、図４に示される登録プランタイプ３０８ａの時間ベースのプラン）、（ｂ）無線端末に、ユーザ承諾使用条件を提供することを要求しない（例えば、使用条件要件３０８ｂ）、（ｃ）無線端末が、名前、名字、電子メールアドレス、電子メールアドレス確認、およびクレジットカード情報を提供することを要求する（例えば、サインアップ情報３０８ｃ）、（ｄ）６時間のアクセス時間制限を課す（例えば、サインアップ情報３０８ｃ）、（ｅ）支払を要求する（例えば、支払情報３０８ｄ）、および（ｆ）プロビジョニングを要求しない（例えば、プロビジョニング情報３０８ｅ）ように構成され得る。
【００３３】
例示的登録プランＣ  ３０６ｃは、ＳＳＰＮ−Ａ  １０８ａによって、（ａ）時間ベースのデータアクセスを提供する（例えば、図４に示される登録プランタイプ３０８ａの時間ベースのプラン）、（ｂ）無線端末に、ユーザ承諾使用条件を提供することを要求しない（例えば、使用条件要件３０８ｂ）、（ｃ）無線端末が、名前、名字、電子メールアドレス、電子メールアドレス確認、およびクレジットカード情報を提供することを要求する（例えば、サインアップ情報３０８ｃ）、（ｄ）２４時間のアクセス時間制限を課す（例えば、サインアップ情報３０８ｃ）、（ｅ）支払を要求する（例えば、支払情報３０８ｄ）、および（ｆ）プロビジョニングを要求しない（例えば、プロビジョニング情報３０８ｅ）ように構成され得る。
【００３４】
ＳＳＰＮ−Ａ  １０８ａはさらに、他の登録プランを構成し、加入またはローミング合意に関連付けられた無線端末の登録、または、事前に確立された合意が無線端末のユーザとＳＳＰＮ−Ａ  １０８ａのサービスプロバイダＡとの間に存在しない無線端末の登録を許可もしくは禁止し得る。いくつかの例示的実装では、異なる登録プランが、異なる無線アクセス場所（例えば、図１のＷＬＡＮアクセス場所１０２ａ）のために構成され得る。図３に示されるように、ＡＰ１０４ａは、ローカルプランスキーマデータ記憶装置３１２内に登録プランＡ  ３０６ａおよび登録プランＣ  ３０６ｃを格納し、その後、登録プラン３０６ａおよび３０６ｃを、１回以上、無線端末１１４（または、任意の他の１つ以上の無線端末）に通信し得る。このように、無線端末１１４が、その後、ＳＳＰＮ−Ａ  １０８ａに登録することを要求すると（例えば、図１の登録要求メッセージ１１６を通信することによって）、ＡＰ１０４ａは、登録応答メッセージ１１８とともに、選択可能プランＡ  ３０６ａおよび選択可能プランＣ  ３０６ｃを通信可能である。次いで、無線端末１１４は、選択されたプラン３１４および選択されたプラン３１４の要求される登録パラメータに対応する登録情報３１６を含む、登録情報メッセージ１２０によって応答可能である。
【００３５】
いくつかの例示的実装では、支払要件および支払情報３０８ｄに対応する情報は、登録応答メッセージ１１８および登録情報メッセージ１２０の一部として、または別個の支払メッセージ交換３１８として、通信可能である。また、いくつかの例示的実装では、プロビジョニング要件およびプロビジョニング情報３０８ｅに対応する情報は、登録応答メッセージ１１８および登録情報メッセージ１２０の一部として、または別個のプロビジョニングメッセージ交換３２０として、通信可能である。
【００３６】
次に図５を参照すると、図１および３の無線端末１１４の例証される実施例が、ブロック図の形態で示される。例証される実施例では、無線端末１１４は、無線端末１１４の全体的な動作を制御するために使用され得る、プロセッサ５０２を含む。プロセッサ５０２は、コントローラ、汎用プロセッサ、デジタル信号プロセッサ、専用ハードウェア、または任意のそれらの組み合わせを使用して実装され得る。
【００３７】
無線端末１１４はまた、端末メッセージ生成器５０４および端末データ解析装置５０６を含む。端末メッセージ生成器５０４は、図１および３の登録要求メッセージ１１６ならびに登録情報メッセージ１２０、および／または図３の支払メッセージ交換３１８およびプロビジョニングメッセージ交換３２０に関連付けられた支払ならびにプロビジョニングメッセージ等、登録関連メッセージ（例えば、ＴＬＶ形式メッセージまたはＸＭＬ形式メッセージ）を生成するために使用され得る。端末データ解析装置５０６は、メモリ（例えば、ＲＡＭ５１０）から情報を読み出すために使用され得る。例えば、端末データ解析装置５０６は、ＴＬＶ形式メッセージまたはＸＭＬ形式メッセージから、受信された登録プラン（例えば、図３の登録プランＡ−Ｃ  ３０６ａ−ｃの受信されたもの）に対する登録パラメータ３０４（図３）のうちのいくつかを読み出すことが可能である。
【００３８】
端末メッセージ生成器５０４および端末データ解析装置５０６は、図５におけるプロセッサ５０２から別個として、およびこれに接続されるものとして示されるが、いくつかの例示的実装では、端末メッセージ生成器５０６および端末データ解析装置５０２は、プロセッサ５０２および／または無線通信サブシステム（例えば、無線通信サブシステム５１８）内に実装され得る。端末メッセージ生成器５０４および端末データ解析装置５０６は、ハードウェア、ファームウェア、および／またはソフトウェアの任意の所望の組み合わせを使用して実装され得る。例えば、１つ以上の集積回路、個別半導体構成要素、および／または受動電子構成要素を使用し得る。したがって、例えば、端末メッセージ生成器５０４および端末データ解析装置５０６、またはその一部は、１つ以上の回路、プログラマブルプロセッサ、特定用途向け集積回路（ＡＳＩＣ）、プログラマブル論理デバイス（ＰＬＤ）、フィールドプログラマブル論理デバイス（ＦＰＬＤ）等を使用して実装され得る。端末メッセージ生成器５０４および端末データ解析装置５０６、またはその一部は、機械アクセス可能媒体上に格納され、例えば、プロセッサ（例えば、例示的プロセッサ５０２）によって実行可能な、命令、コード、ならびに／あるいは他のソフトウェアおよび／またはファームウェア等を使用して実装され得る。添付された請求項のいずれかが純粋にソフトウェア実装を網羅するように読まれる場合、本明細書では、端末メッセージ生成器５０４および端末データ解析装置５０６の少なくとも１つは、固体メモリ、磁気メモリ、ＤＶＤ、ＣＤ等の有形媒体を含むように、明示的に定義される。
【００３９】
図５に示される例示的無線端末１１４はまた、プロセッサ５０２に通信可能に連結されたフラッシュメモリ５０８、ランダムアクセスメモリ（ＲＡＭ）５１０、および拡張可能メモリインターフェース５１２を含む。フラッシュメモリ５０８は、例えば、コンピュータ可読命令および／またはデータを格納するために使用可能である。いくつかの例示的実装では、フラッシュメモリ５０８は、図３および４と関連して上述のデータ構造のうちの１つ以上を格納するために使用可能であって、また、無線端末１１４に関連付けられた登録情報（例えば、ユーザ名、住所、クレジットカード情報、および／または図３および４の登録パラメータ３０４によって示される任意の他の情報）を事前格納可能である。ＲＡＭ５１０はまた、例えば、データおよび／または命令を格納するために使用可能である。
【００４０】
無線端末１１４は、無線サービスプロバイダからのＳＩＭカード（または。ＵＳＩＭカードまたはＮＦＣセキュア要素）を受け取るためのセキュリティハードウェアインターフェース５１４が提供される。ＳＩＭカードは、ＷＬＡＮ対応ネットワークとの接続を確立するために、無線端末１１４を認証するための認証パラメータとして使用され得る。いくつかの例示的実装では、ＳＩＭカードはまた、外部ネットワークに登録するために要求される登録情報を格納し得る。無線端末１１４はまた、Ｉ／Ｏインターフェース５１６が提供される。外部データＩ／Ｏインターフェース５１６は、有線媒体を通して、無線端末１１４に情報を転送するために、ユーザによって使用され得る。
【００４１】
無線端末１１４は、ＷＬＡＮ  ＡＰ（例えば、図１のＡＰ１０４ａ−ｃ）との無線通信を可能にするために、無線通信サブシステム５１８が提供される。図示されていないが、無線端末１１４はまた、セルラー無線ネットワークからメッセージを受信し、それにメッセージを送信するために、長距離通信サブシステムを有し得る。本明細書に説明される例証される例では、無線通信サブシステム５１８は、ＩＥＥＥ（登録商標）８０２．１１規格に従って構成可能である。他の例示的実装では、無線通信サブシステム５１８は、ＢＬＵＥＴＯＯＴＨ（登録商標）無線、ＺＩＧＢＥＥ（登録商標）デバイス、無線ＵＳＢデバイス、またはウルトラワイドバンド（ＵＷＢ）無線を使用して実装可能である。
【００４２】
ユーザが、無線端末１１４を使用して、それと、またはそれを介して、相互作用可能にするために、無線端末１１４は、スピーカ５２０、マイクロホン５２２、ディスプレイ５２４、およびユーザ入力インターフェース５２６が提供される。ディスプレイ５２４は、ＬＣＤディスプレイ、電子ペーパーディスプレイ等であることが可能である。ユーザ入力インターフェース５２６は、英数字キーボードおよび／または電話式キーパッド、動的ボタン押下能力を伴う多方向アクチュエータまたはローラホイール、タッチパネル等であり得る。上述のように、本明細書に説明される例示的方法および装置はまた、有利には、ユーザインターフェースを有さない無線端末と関連して使用可能であって、したがって、スピーカ、５２０、マイクロホン５２２、ディスプレイ５２４、ユーザ入力インターフェース５２６、および／またはそれらの任意の組み合わせは、随意に省略され得る。例証される実施例では、無線端末１１４は、バッテリ給電デバイスであって、したがって、バッテリ５２８およびバッテリインターフェース５３０が提供される。
【００４３】
次に、図６を参照すると、図１および３の例示的ＡＰ１０４ａが、ブロック図形態いおいて示される。例示的ＡＰ１０４ａは、ＡＰ１０４ａの全体的な動作を行うために、プロセッサ６０２を含む。加えて、ＡＰ１０４ａは、ＴＬＶまたはＸＭＬ形式メッセージを生成するためのＡＰメッセージ生成器６０４を含む（例えば、図１および３の登録応答メッセージ１１８ならびに登録状態メッセージ１１２、および／または図３の支払メッセージ交換３１８およびプロビジョニングメッセージ交換３２０に関連付けられた支払ならびにプロビジョニングメッセージ）。ＡＰ１０４ａはまた、無線端末１１４によって送信される受信したメッセージから情報を読み出すためのＡＰデータ解析装置６０６を含む。ＡＰメッセージ生成器６０４は、図５の端末メッセージ生成器５０４に実質的に類似し、ＡＰデータ解析装置６０６は、図５の端末データ解析装置５０６に実質的に類似する。したがって、ＡＰメッセージ生成器６０４およびＡＰデータ解析装置６０６は、コンピュータ可読媒体上に格納された命令を含む、ハードウェア、ファームウェア、および／またはソフトウェアの任意の組み合わせを使用して、プロセッサ６０２および／または無線通信サブシステム（例えば、無線通信サブシステム６１２）内に実装され得る。
【００４４】
例示的ＡＰ１０４ａはまた、フラッシュメモリ６０８およびＲＡＭ６１０を含み、両方とも、プロセッサ６０２に連結される。フラッシュメモリ６０８は、登録プラン（例えば、図３におけるローカルプランスキーマデータ記憶装置３１２内に格納されるように示されるような登録プランＡおよびＣ  ３０６ａならびに３０６ｃ）を格納するように構成され得る。ＲＡＭ６１０は、無線端末１１４への通信のためのメッセージを生成するために、および／または無線端末１１４によって通信される受信されたメッセージを格納するために使用され得る。
【００４５】
無線端末１１４等の無線端末と通信するために、ＡＰ１０４ａは、無線端末１１４の無線通信サブシステム５１８（図５）と実質的に類似または同一であり得る、無線通信サブシステム６１２が提供される。ＷＬＡＮ対応ネットワークまたは外部ネットワーク（例えば、ネットワーク１０６ａ−ｂ、１１０、および１０８ａ−ｂ）と通信するために、ＡＰ１０４ａは、ネットワークアップリンク通信インターフェース６１４が提供される。例証される実施例では、ネットワークアップリンク通信インターフェース６１４は、ＡＰ１０４ａを外部ネットワーク（例えば、プライベートネットワーク１０６ａおよび／またはＳＳＰＮ−Ａ  １０８ａ）と通信可能にする。
【００４６】
図７Ａ、７Ｂ、および８は、無線端末（例えば、図１の無線端末１１４、３、および５）をＷＬＡＮ対応ネットワークまたは外部ネットワーク（例えば、図１のネットワーク１０６ａ−ｂ、１０８ａ−ｂ、および１１０）に登録するために使用され得る、コンピュータ可読命令を使用して実装され得るプロセスを表す、例示的工程図を描写する。図７Ａ、７Ｂ、および８の例示的動作は、プロセッサ、コントローラ、および／または任意の他の好適な処理デバイスを使用して実施され得る。例えば、図７Ａ、７Ｂ、および８の例示的動作は、プロセッサ（例えば、図５のプロセッサ５０２および／または図６のプロセッサ６０２）に関連付けられたフラッシュメモリ、読取専用メモリ（ＲＯＭ）、および／またはランダムアクセスメモリ（ＲＡＭ）等の有形媒体上に格納されたコード化命令を使用して実装され得る。代替として、図７Ａ、７Ｂ、および８の例示的動作の一部または全部は、特定用途向け集積回路（ＡＳＩＣ）、プログラマブル論理デバイス（ＰＬＤ）、フィールドプログラマブル論理デバイス（ＦＰＬＤ）、離散論理、ハードウェア、ファームウェア等の任意の組み合わせを使用して実装され得る。また、図７Ａ、７Ｂ、および８の例示的動作の一部または全部は、手動で、または、上述の技術の任意の組み合わせ、例えば、ファームウェア、ソフトウェア、離散論理および／またはハードウェアの任意の組み合わせとして、実装され得る。さらに、図７Ａ、７Ｂ、および８の例示的動作は、図７Ａ、７Ｂ、および８の工程図を参照して説明されるが、図７Ａ、７Ｂ、および８の動作を実装する他の方法が採用され得る。例えば、ブロックの実行の順序を変更し得、および／または説明されているブロックのいくつかを、変更、排除、再分割、または組み合わせ得る。加えて、図７Ａ、７Ｂ、および８の例示的動作の一部または全部は、例えば、別々の処理スレッド、プロセッサ、デバイス、離散論理、回路等によって、逐次的におよび／または並行に行われ得る。
【００４７】
図７Ａおよび７Ｂの例示的工程図は、無線端末１１４とＡＰ１０４ａとの間の通信を促進するように協働可能に相互作用する、無線端末プロセス７０２およびＡＰプロセス７０４を含む。例証される実施例では、無線端末プロセス７０２は、無線端末１１４（図１、３、および５）を使用して実装され、登録情報をＡＰ１０４ａに通信し、図１および３のプライベートネットワーク１０６ａおよび／またはＳＳＰＮ−Ａ  １０８ａに登録する。ＡＰプロセス７０４は、ＡＰ１０４ａ（図１、３、および６）を使用して実装され、要求される登録情報を示す登録パラメータを無線端末１１４に伝送し、無線端末１１４からそのような登録情報を受信可能である。
【００４８】
図７Ａおよび７Ｂを詳細に参照すると、最初に、無線端末１１４は、登録情報をＡＰ１０４ａと通信するために使用される、認証方法を判定する（ブロック７０６）（図７Ａ）。例証される実施例では、認証方法は、内部認証方法としてＥＡＰ−ＷＩＳＰを有するトンネル化されたＥＡＰ方法である。無線端末１１４は、参照することによって、全体として本明細書に組み込まれる、２００９年７月１６日出願の米国仮出願第１２／５０４，５００号「Ｍｅｔｈｏｄｓ  ａｎｄ  Ａｐｐａｒａｔｕｓ  ｔｏ  Ｄｉｓｃｏｖｅｒ  Ａｕｔｈｅｎｔｉｃａｔｉｏｎ  Ｉｎｆｏｒｍａｔｉｏｎ  ｉｎ  ａ  Ｗｉｒｅｌｅｓｓ  Ｎｅｔｗｏｒｋｉｎｇ  Ｅｎｖｉｒｏｍｅｎｔ」に説明されるように認証方法を発見可能である。
【００４９】
無線端末１１４は、ブロック７０６において識別された認証方法に基づいて、ＡＰ１０４ａとの認証セッションを確立する（ブロック７０８）。無線端末１１４は、登録要求メッセージ１１６（図１）をＡＰ１０４ａに伝送する（ブロック７１０）。ＡＰ１０４ａは、登録要求メッセージ１１６を受信し（ブロック７１２）、登録応答メッセージ１１８（図１および３）を無線端末１１４に伝送する（ブロック７１４）。上述のように、登録応答メッセージ１１８は、認証された接続を促進するために、無線端末１１４によって選択され得る１つ以上の登録プラン（例えば、図３の登録プランＡ−Ｃ  ３０６ａ−ｃ）の表示を含む。例えば、１つ以上の異なる登録プランが、ローカルプランスキーマデータ記憶装置３１２（図３）から読み出され得る。
【００５０】
無線端末１１４は、登録応答メッセージ１１８を受信し（ブロック７１６）、無線端末１１４は、登録応答メッセージ１１８内で提供される、登録プランを選択する（ブロック７２０）。無線端末１１４が、登録プランを選択するために使用可能な例示的プロセスは、図８の工程図と関連して後述される。
【００５１】
登録プランが、ブロック７２０において選択された後、無線端末１１４は、選択された登録プランによって要求される、登録情報を読み出す（ブロック７２２）。例えば、無線端末１１４が、要求される登録情報の全部を事前に格納している場合、無線端末１１４は、そのメモリ（例えば、フラッシュメモリ５０８、ＲＡＭ５１０、またはＳＩＭカード）から登録情報を読み出すことが可能である。加えて、または代替として、登録情報の一部または全部が、ユーザによって提供されなければならない場合、無線端末１１４は、ユーザ（例えば、グラフィカルユーザインターフェースプロンプトを介して）に、要求される登録情報（例えば、名前および住所）を提供するように指示可能である。例証される実施例では、端末メッセージ生成器５０４が、ＴＬＶ形式メッセージまたはＸＭＬ形式メッセージ内に登録情報を形成し、登録情報メッセージ１２０（図１および３）を生成するために使用されることが可能である。無線端末１１４は、例えば、登録情報メッセージ１２０を介して、選択された登録プランおよび登録情報をＡＰ１０４ａに伝送する（ブロック７２４）。
【００５２】
ＡＰ１０４ａは、選択された登録プランおよび登録情報を受信し（ブロック７２６）、それを外部ネットワーク（例えば、プライベートネットワーク１０６ａおよび／またはＳＳＰＮ−Ａ  １０８ａ）に伝送する（ブロック７２８）。このように、外部ネットワークのサーバは、提供された登録情報を分析し、無線端末１１４の登録を許可するために有効であるかどうかを判定可能である。外部ネットワークはまた、プロビジョニングが要求される場合、無線端末１１４が、プロビジョニング可能である（または、プロビジョニングされている）かどうか判定し、支払情報が必要であるかどうかを判定可能である（例えば、選択されたプランに基づいて）。
【００５３】
次いで、ＡＰ１０４ａは、登録状態を外部ネットワークから受信する（ブロック７３０）。例えば、登録状態は、登録情報の全部が有効であって、正常登録（および、必要に応じて、プロビジョニング）をもたらすかどうかを示すことが可能であり、また、支払が要求されるかどうかを示すことが可能である。登録全部が有効でない場合、登録状態は、どの登録情報が無効であるかを示すことが可能である。いくつかの例示的実装では、制限された持続時間の間に対して登録が有効である場合、ユーザーサービスにおけるリモート認証ダイヤル（ＲＡＤＩＵＳ）（ＲＦＣ  ２８６５）またはＤｉａｍａｔｅｒ（ＲＦＣ  ３５８８）に対応する、外部ネットワークの認証、権限付与、およびアカウンティング（ＡＡＡ）サーバは、随意に、ＡＰ１０４ａの登録状態におけるセッションタイムアウト属性を送信し、ＡＰ１０４ａに、セッションの期限切れの時間を秒単位で通知可能である。
【００５４】
次いで、ＡＰ１０４ａは、外部ネットワークから受信された登録状態に基づいて、無線端末１１４に対するその接続状態を更新する（ブロック７３２）。ＡＰ１０４ａは、例えば、図１の登録状態メッセージ１２２を介して、登録状態を無線端末１１４に通信する（ブロック７３４）。時間制限アクセス登録の場合、登録状態メッセージ１２２は、外部ネットワークによってＡＰ１０４ａに提供される、セッションの期限切れの時間を秒単位で含む、追加のＴＬＶ形式フレームを含むことが可能である。
【００５５】
無線端末１１４は、登録状態メッセージ１２２を受信し（ブロック７３６）、登録情報の全部が有効であるかどうかを判定する（ブロック７３８）。図７Ｂの例証される実施例では、無線端末１１４が、登録状態メッセージ１２２を受信すると、無線端末１１４は、登録状態となる。しかしながら、他の例示的実装では、無線端末１１４は、発見状態、プロビジョニング状態、および／またはアクセス状態であり得る。全登録情報が有効ではない場合（ブロック７３８）、無線端末１１４は、何らかの代替登録情報が利用可能であるかどうか判定する（ブロック７４０）。例えば、無線端末１１４は、どの登録情報の入力が、登録状態メッセージ１２２内において無効として示されるかを再調査し、メモリ内に事前に格納された代替登録情報が利用可能であるかどうか、またはユーザが外部ネットワークによって無効として示された任意の情報に対する代替登録情報を提供可能であるかどうか判定可能である。代替登録情報が利用可能である場合（ブロック７４０）、制御は、ブロック７２２に戻り、代替登録情報を読み出し、通信する。
【００５６】
ブロック７３８において、無線端末１１４が、登録情報の全部が有効であると判定した場合（ブロック７３８）、制御は、図７Ｂのブロック７４２に進み、無線端末１１４は、支払情報が要求されるかどうか判定する（ブロック７４２）。例えば、ブロック７２０において選択されたプランに応じて、支払は、正常登録を可能にするために要求され得る。支払が要求される場合（ブロック７４２）、無線端末７４４は、支払情報を読み出す（ブロック７４４）。例えば、無線端末１１４が、事前に格納された支払情報（例えば、クレジットカード情報、オンライン支払アカウント番号等）を有する場合、無線端末１１４は、そのメモリ（例えば、フラッシュメモリ５０８またはＲＡＭ５１０）から支払情報を読み出すことが可能である。加えて、または代替として、支払情報の一部または全部が、ユーザによって提供されなければならない場合、無線端末１１４は、ユーザ（例えば、グラフィカルユーザインターフェースプロンプトを介して）に、要求される支払情報（例えば、クレジットカード情報）を提供可能である。例証される実施例では、端末メッセージ生成器５０４は、ＴＬＶ形式メッセージまたはＸＭＬ形式メッセージにおいて、支払情報を形成し、支払情報メッセージを生成するために使用可能である。無線端末１１４は、例えば、図３の支払メッセージ３１８を介して、支払情報をＡＰ１０４ａに伝送する（ブロック７４６）。
【００５７】
ＡＰ１０４ａは、支払情報を受信し（ブロック７４８）、それを外部ネットワーク（例えば、プライベートネットワーク１０６ａおよび／またはＳＳＰＮ−Ａ  １０８ａ）に伝送する（ブロック７５０）。このように、外部ネットワークのサーバは、提供された支払情報を分析し、その有効性を判定可能である。
【００５８】
次いで、ＡＰ１０４ａは、外部ネットワークから支払承認状態を受信する（ブロック７５２）。支払承認状態は、提供された支払情報が有効であるかどうか、またはそのいずれかが無効であるかどうかを示すことが可能である。次いで、ＡＰ１０４ａは、支払承認状態に基づいて、その無線端末接続状態を更新する（ブロック７５４）。例えば、支払情報が有効である場合、ＡＰ１０４ａは、その無線端末接続状態を更新し、接続が正常であることを示すことが可能である。ＡＰ１０４ａは、支払承認状態を無線端末１１４に通信する（ブロック７５６）。
【００５９】
無線端末１１４は、支払承認状態が、提供された支払情報の正常検証を示すかどうか判定する（ブロック７５８）。支払情報の全部が、有効として正常に検証されない場合（ブロック７５８）、無線端末１１４は、何らかの代替支払情報が利用可能であるかどうかを判定する（ブロック７６０）。例えば、無線端末１１４は、メモリ内に事前に格納された代替支払情報が利用可能であるかどうか、またはユーザが代替支払情報を提供可能であるかどうかを判定可能である。代替支払情報が利用可能である場合（ブロック７６０）、制御は、ブロック７４４に戻り、代替支払情報を読み出し、通信する。
【００６０】
代替支払情報が利用不可能である場合（ブロック７６０）、支払情報が有効として正常に検証される場合（ブロック７５８）、支払情報が要求されない場合（ブロック７４２）、または、代替登録情報が利用不可能である場合（ブロック７４０）、無線端末１１４は、その接続状態を更新し（ブロック７６２）、登録が正常であるかどうか、したがって、無線端末１１４が、外部ネットワークに接続されるかどうかを示す。次いで、図７Ａおよび７Ｂの例示的プロセスは、終了される。
【００６１】
次に、図８を参照すると、描写される例示的プロセスは、無線端末１１４によって使用され、図７のブロック７２０の動作を実装し、登録プラン（例えば、図３の登録プラン３０６ａ−ｃのうちの１つ）を選択可能である。最初に、端末データ解析装置５０６（図５）は、登録応答メッセージ１１８（図１および３）を介して、ＡＰ１０４ａから受信された選択可能登録プランのそれぞれに対して、登録パラメータ要件を読み出す（ブロック８０２）。無線端末１１４は、事前に格納された登録情報が、何らのユーザ提供登録情報も伴わずに、少なくとも１つの登録プランを選択可能にするかどうかを判定する（ブロック８０４）。事前に格納された登録情報が、少なくとも１つの登録プランの選択を不可能にする場合（ブロック８０４）、無線端末１１４は、ユーザに、追加の登録情報を提供することを要求する（ブロック８０６）。例えば、追加の登録情報は、ユーザが無線端末１１４内に事前に格納されることを望まないクレジットカード情報であり得る。追加のユーザ提供登録情報を受信後、無線端末１１４は、メモリ（例えば、図５のフラッシュメモリ５０８またはＲＡＭ５１０）内に追加のユーザ提供登録情報を格納する（ブロック８０８）。
【００６２】
無線端末１１４が、ブロック８０４において、事前に格納された登録情報を有し、何らのユーザ提供登録情報も伴わずに、少なくとも１つの登録プランを選択可能であると判定する場合（ブロック８０４）、制御は、ブロック８１０に進む。ブロック８１０では、無線端末１１４は、事前に格納された登録情報が、２つ以上の登録プランの選択を可能にするかどうかを判定する（ブロック８１０）。事前に格納された登録情報が、２つ以上の登録プランの選択を可能にする場合（ブロック８１０）、無線端末１１４は、ユーザに、登録プランを選択することを要求する（ブロック８１２）。いくつかの例示的実装では、プラン優先度は、無線端末１１４内に事前に格納され、無線端末１１４に、最高優先度を有する登録プランを自動的に選択可能にし得る。そのような実装では、ユーザは、登録プランを選択するよう指示される必要はないであろう。代わりに、無線端末１１４は、優先度に基づいて、登録プランを自動的に選択するであろう。
【００６３】
ユーザが、登録プランを選択後（ブロック８１２）、または事前に格納された登録情報が２つ以上の登録プランの選択を可能にしない場合（ブロック８１０）、または、無線端末が登録プランの選択を可能にする追加のユーザ提供登録情報を格納後（ブロック８０８）、無線端末１１４は、選択された登録プランを示す（ブロック８１４）。このように、端末メッセージ生成器５０４（図５）は、ＡＰ１０４ａへの伝送のための登録情報メッセージ１２０（図１および３）を生成可能である。次いで、図８の例示的プロセスは、終了し、制御は、図７の読み出しプロセス等の読み出しプロセスまたは機能に戻る。
【００６４】
特定の方法、装置、および製品が本明細書に記載されているが、本特許の範囲は、これらに限られるものではない。むしろ、本特許は、文言通り、または、均等論に基づいて、添付の請求項の範囲内にある全ての方法、装置、および製品を網羅するものである。
【図１】
2012533920.tif 000003
【図２】
2012533920.tif 000004
【図３】
2012533920.tif 000005
【図４】
2012533920.tif 000006
【図５】
2012533920.tif 000007
【図６】
2012533920.tif 000008
【図７Ａ】
2012533920.tif 000009
【図７Ｂ】
2012533920.tif 000010
【図８】
2012533920.tif 000011
【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
無線ローカルエリアネットワークにおけるデバイスの接続性を向上させる方法であって、
ネットワーク発見の間に、前記デバイス（１１４）において登録応答（１１８）を受信すること（７１６）であって、前記登録応答（１１８）は、１つ以上の登録プラン（１１９）を示す、ことと、
登録プラン（３１４）を前記１つ以上の登録プラン（１１９）から選択すること（７２０）と、
前記デバイス（１１４）に関連付けられた登録情報（３１６）をネットワークエンティティに送信すること（７２４）であって、前記登録情報は、選択された登録プランに基づいて選択される、ことと
を含む、方法。
【請求項２】
前記ネットワークエンティティは、アクセスポイント（１０４ａ、１０４ｂ、１０４ｃ）である、請求項１に記載の方法。
【請求項３】
前記デバイス（１１４）において登録応答を受信することに先立って、登録要求（１１６）を前記デバイス（１１４）から前記ネットワークエンティティに送信することをさらに含む、請求項１に記載の方法。
【請求項４】
前記登録応答（１１８）は、前記デバイス（１１４）からの登録要求（１１６）に応答して、前記ネットワークエンティティによって通信される、請求項３に記載の方法。
【請求項５】
前記登録プラン（３１４）を前記１つ以上の登録プラン（１１９）から選択することは、前記デバイス（１１４）によって行われる、請求項１に記載の方法。
【請求項６】
前記選択された登録プラン（３１４）の識別子を前記登録情報（３１６）に関連するネットワークエンティティに送信することをさらに含む、請求項１に記載の方法。
【請求項７】
前記登録情報（３１６）は、使用条件の承諾、ユーザ名、またはユーザ識別のうちの少なくとも１つを含む、請求項１に記載の方法。
【請求項８】
前記１つ以上の登録プラン（１１９）の各々は、時間ベースのプラン、賦課方式プラン、またはフリーアクセスプランのうちの１つに関連付けられている、請求項１に記載の方法。
【請求項９】
前記ネットワークエンティティは、ローカルエリアネットワークへのアクセスを提供する、請求項１に記載の方法。
【請求項１０】
前記１つ以上の登録プラン（１１９）は、前記デバイス（１１４）を前記ローカルエリアネットワークと通信する外部ネットワーク（１０６ａ、１０６ｂ、１１０、１０８ａ、１０８ｂ）に登録することに関連付けられている、請求項９に記載の方法。
【請求項１１】
前記外部ネットワーク（１０６ａ、１０６ｂ、１１０、１０８ａ、１０８ｂ）は、サービスプロバイダネットワークであり、前記サービスプロバイダネットワークは、前記デバイス（１１４）に利用可能な加入ベースのサービスに基づいて動作し、前記デバイスに利用可能な加入ベースのサービスは、前記１つ以上の登録プラン（１１９）に基づいている、請求項１０に記載の方法。
【請求項１２】
前記ローカルエリアネットワークは、無線ローカルエリアネットワークである、請求項９に記載の方法。
【請求項１３】
前記１つ以上の登録プラン（１１９）は、拡張マークアップ言語（ＸＭＬ）形式におけるものである、請求項１に記載の方法。
【請求項１４】
プロビジョニング要求（３２０）を前記デバイス（１１４）から前記ネットワークエンティティに送信することと、
前記プロビジョニング要求に応答して、前記デバイスが正常にプロビジョニングされたかどうかを示す、プロビジョニング状態を受信することと
をさらに含む、請求項１に記載の方法。
【請求項１５】
前記デバイス（１１４）に関連付けられた登録情報（３１６）をネットワークエンティティに送信することは、拡張可能認証プロトコル（ＥＡＰ）方法を使用して、前記登録情報（３１６）を送信することを含む、請求項１に記載の方法。
【請求項１６】
無線ローカルエリアネットワークにおけるデバイスの接続性を向上させるための装置であって、プロセッサ（５０２）を備え、
前記プロセッサ（５０２）は、
ネットワーク発見の間に、前記デバイス（１１４）において登録応答（１１８）を受信すること（７１６）であって、前記登録応答（１１８）は、１つ以上の登録プラン（１１９）を示す、ことと、
登録プラン（３１４）を前記１つ以上の登録プラン（１１９）から選択することと、
前記デバイス（１１４）に関連付けられた登録情報（３１６）をネットワークエンティティに送信すること（７２４）であって、前記登録情報は、選択された登録プランに基づいて選択される、ことと
を行うように構成されている、
装置。
【請求項１７】
前記ネットワークエンティティは、アクセスポイント（１０４ａ、１０４ｂ、１０４ｃ）である、請求項１６に記載の装置。
【請求項１８】
前記プロセッサ（５０２）は、前記デバイス（１１４）において登録応答を受信することに先立って、登録要求（１１６）を前記デバイス（１１４）から前記ネットワークエンティティに送信する（７１０）ように構成されている、請求項１６に記載の装置。
【請求項１９】
前記登録応答（１１８）は、前記デバイス（１１４）からの登録要求（１１６）に応答して、前記ネットワークエンティティによって通信される、請求項１８に記載の装置。
【請求項２０】
前記プロセッサ（５０２）は、前記選択された登録プラン（３１４）の識別子を前記登録情報（３１６）に関連するネットワークエンティティに送信するように構成されている、請求項１６に記載の装置。
【請求項２１】
前記登録情報（３１６）は、使用条件の承諾、ユーザ名、またはユーザ識別のうちの少なくとも１を含む、請求項１６に記載の装置。
【請求項２２】
前記１つ以上の登録プラン（１１９）の各々は、時間ベースのプラン、賦課方式プラン、またはフリーアクセスプランのうちの１つに関連付けられている、請求項１６に記載の装置。
【請求項２３】
前記ネットワークエンティティは、ローカルエリアネットワークへのアクセスを提供する、請求項１６に記載の装置。
【請求項２４】
前記１つ以上の登録プラン（１１９）は、前記デバイス（１１４）を前記ローカルエリアネットワークと通信する外部ネットワーク（１０６ａ、１０６ｂ、１１０、１０８ａ、１０８ｂ）に登録することに関連付けられている、請求項２３に記載の装置。
【請求項２５】
前記外部ネットワーク（１０６ａ、１０６ｂ、１１０、１０８ａ、１０８ｂ）は、サービスプロバイダネットワークであり、前記サービスプロバイダネットワークは、前記デバイスに利用可能な加入ベースのサービスに基づいて動作し、前記デバイス（１１４）に利用可能な加入ベースのサービスは、前記１つ以上の登録プラン（１１９）に基づいている、請求項２４に記載の装置。
【請求項２６】
前記ローカルエリアネットワークは、無線ローカルエリアネットワークである、請求項２３に記載の装置。
【請求項２７】
前記１つ以上の登録プラン（１１９）は、拡張マークアップ言語（ＸＭＬ）形式におけるものである、請求項１６に記載の装置。
【請求項２８】
前記プロセッサは、
プロビジョニング要求（３２０）を前記ネットワークエンティティに送信することと、
前記プロビジョニング要求に応答して、前記デバイスが正常にプロビジョニングされたかどうかを示すプロビジョニング状態を受信することと
を行うように構成されている、請求項１６に記載の装置。
【請求項２９】
前記プロセッサ（５０２）は、拡張可能認証プロトコル（ＥＡＰ）方法を使用して、前記登録情報（３１６）を送信することによって、前記デバイス（１１４）に関連付けられた登録情報（３１６）を前記ネットワークエンティティに送信するように構成されている、請求項１６に記載の装置。
【請求項３０】
無線ローカルエリアネットワークにおけるデバイスを登録する方法であって、
登録要求（１１６）を前記デバイス（１１４）から受信すること（７１２）と、
ネットワーク発見の間に、前記登録要求（１１６）に応答して、１つ以上の登録プラン（１１９）を含む応答（１１８）を前記デバイス（１１４）に送信することであって、前記１つ以上の登録プラン（１１９）は、前記無線ローカルエリアネットワークを介するネットワークアクセスのために、前記デバイス（１１４）を登録することに関連付けられている、ことと、
登録情報（３１６）を前記デバイス（１１４）から受信することであって、前記登録情報（３１６）は、前記デバイス（１１４）によって選択された１つ以上の登録プラン（１１９）のうちの１つに関連付けられている、ことと
を含む、方法。
【請求項３１】
前記デバイス（１１４）からの登録情報（３１６）は、前記デバイス（１１４）への応答（１１８）に応答している、請求項３０に記載の方法。
【請求項３２】
前記１つ以上の登録プラン（１１９）から選択された登録プラン（３１４）の識別子を受信することをさらに含む、請求項３０に記載の方法。
【請求項３３】
メッセージを前記無線ローカルエリアネットワークの外部にある外部ネットワーク（１０６ａ、１０６ｂ、１１０、１０８ａ、１０８ｂ）に送信すること（７２８）をさらに含み、前記メッセージは、少なくとも前記選択された登録プランの識別子および前記登録情報を含む、請求項３２に記載の方法。
【請求項３４】
前記外部ネットワーク（１０６ａ、１０６ｂ、１１０、１０８ａ、１０８ｂ）から、前記選択された登録プランおよび前記登録情報に関連付けられた登録状態を受信すること（７３０）をさらに含み、前記登録状態は、前記デバイス（１１４）が前記外部ネットワーク（１０６ａ、１０６ｂ、１１０、１０８ａ、１０８ｂ）に正常に登録されているかどうかを示す、請求項３３に記載の方法。
【請求項３５】
前記外部ネットワーク（１０６ａ、１０６ｂ、１１０、１０８ａ、１０８ｂ）は、サービスプロバイダネットワークであり、前記サービスプロバイダネットワークは、前記デバイス（１１４）に利用可能な加入ベースのサービスに基づいて動作し、前記デバイスに利用可能な加入ベースのサービスは、前記１つ以上の登録プラン（１１９）に基づいている、請求項３３に記載の方法。
【請求項３６】
プロビジョニング要求（３２０）を前記デバイス（１１４）から受信することと、
前記プロビジョニング要求（３２０）に応答して、プロビジョニング状態を送信することであって、前記プロビジョニング状態は、前記無線ローカルエリアネットワークの外部にあるネットワーク（１０６ａ、１０６ｂ、１１０、１０８ａ、１０８ｂ）によって、前記デバイス（１１４）が正常にプロビジョニングされたかどうかを示す、ことと
をさらに含む、請求項３０に記載の方法。
【請求項３７】
前記１つ以上の登録プラン（１１９）は、前記デバイス（１１４）を前記無線ローカルエリアネットワークと通信する外部ネットワーク（１０６ａ、１０６ｂ、１１０、１０８ａ、１０８ｂ）に登録することに関連付けられている、請求項３０に記載の方法。
【請求項３８】
前記１つ以上の登録プラン（１１９）は、拡張マークアップ言語（ＸＭＬ）形式におけるものである、請求項３０に記載の方法。
【請求項３９】
前記登録情報（３１６）を前記デバイス（１１４）から受信することは、拡張可能認証プロトコル（ＥＡＰ）方法を使用して、前記登録情報（３１６）を受信することを含む、請求項３０に記載の方法。
【請求項４０】
無線ローカルエリアネットワークにおけるデバイスを登録するための装置であって、プロセッサ（５０２）を備え、
前記プロセッサ（５０２）は、
登録要求（１１６）を前記デバイス（１１４）から受信すること（７１２）と、
ネットワーク発見の間に、前記登録要求（１１６）に応答して、１つ以上の登録プラン（１１９）を含む応答（１１８）を前記デバイス（１１４）に送信することであって、前記１つ以上の登録プラン（１１９）は、前記無線ローカルエリアネットワークを介するネットワークアクセスのために、前記デバイス（１１４）を登録することに関連付けられている、ことと、
登録情報（３１６）を前記デバイス（１１４）から受信することであって、前記登録情報（３１６）は、前記デバイス（１１４）によって選択された１つ以上の登録プラン（１１９）のうちの１つに関連付けられている、ことと
を行うように構成されている、
装置。
【請求項４１】
前記デバイス（１１４）からの登録情報（３１６）は、前記デバイス（１１４）への応答（１１８）に応答している、請求項４０に記載の装置。
【請求項４２】
前記プロセッサ（５０２）は、前記１つ以上の登録プラン（３１４）から選択された登録プランの識別子を受信するように構成されている、請求項４０に記載の装置。
【請求項４３】
前記プロセッサ（５０２）は、メッセージを前記無線ローカルエリアネットワークの外部にある外部ネットワーク（１０６ａ、１０６ｂ、１１０、１０８ａ、１０８ｂ）に送信する（７２８）ように構成され、前記メッセージは、少なくとも前記選択された登録プランの識別子および前記登録情報を含む、請求項４２に記載の装置。
【請求項４４】
前記プロセッサ（５０２）は、前記外部ネットワーク（１０６ａ、１０６ｂ、１１０、１０８ａ、１０８ｂ）から、前記選択された登録プランおよび前記登録情報に関連付けられた登録状態を受信する（７３０）ように構成され、前記登録状態は、前記デバイス（１１４）が前記外部ネットワーク（１０６ａ、１０６ｂ、１１０、１０８ａ、１０８ｂ）に正常に登録されているかどうかを示す、請求項４３に記載の装置。
【請求項４５】
前記外部ネットワーク（１０６ａ、１０６ｂ、１１０、１０８ａ、１０８ｂ）は、サービスプロバイダネットワークであり、前記サービスプロバイダネットワークは、前記デバイス（１１４）に利用可能な加入ベースのサービスに基づいて動作し、前記デバイスに利用可能な加入ベースのサービスは、前記１つ以上の登録プラン（１１９）に基づいている、請求項４３に記載の装置。
【請求項４６】
前記プロセッサ（５０２）は、
プロビジョニング要求（３２０）を前記デバイス（１１４）から受信することと、
前記プロビジョニング要求（３２０）に応答して、プロビジョニング状態を送信することであって、前記プロビジョニング状態は、前記無線ローカルエリアネットワークの外部にあるネットワーク（１０６ａ、１０６ｂ、１１０、１０８ａ、１０８ｂ）によって、前記デバイス（１１４）が正常にプロビジョニングされたかどうかを示す、ことと
を行うように構成されている、請求項４０に記載の装置。
【請求項４７】
前記１つ以上の登録プラン（１１９）は、前記デバイス（１１４）を前記無線ローカルエリアネットワークと通信する外部ネットワーク（１０６ａ、１０６ｂ、１１０、１０８ａ、１０８ｂ）に登録することに関連付けられている、請求項４０に記載の装置。
【請求項４８】
前記１つ以上の登録プラン（１１９）は、拡張マークアップ言語（ＸＭＬ）形式におけるものである、請求項４０に記載の装置。
【請求項４９】
前記プロセッサ（５０２）は、拡張可能認証プロトコル（ＥＡＰ）方法を使用して、前記登録情報（３１６）を受信することによって、前記登録情報を前記デバイス（１１４）から受信するように構成されている、請求項４０に記載の装置。
【請求項５０】
登録されたネットワークアクセスを確立する方法であって、
ネットワーク発見の間に、メッセージをネットワークエンティティから受信すること（７３６）であって、前記メッセージは、デバイス（１１４）が外部ネットワーク（１０６ａ、１０６ｂ、１１０、１０８ａ、１０８ｂ）に正常に登録されているかどうかを示す登録状態（１２２）を含み、前記外部ネットワーク（１０６ａ、１０６ｂ、１１０、１０８ａ、１０８ｂ）は、前記ネットワークエンティティに関連付けられたネットワークと通信する、ことと、
前記受信された登録状態（１２２）が正常登録を示す場合に、前記正常登録に関連付けられた支払情報（３１８）を送信すること（７４６）と
を含む、方法。
【請求項５１】
前記ネットワークエンティティは、アクセスポイント（１０４ａ、１０４ｂ、１０４ｃ）である、請求項５０に記載の方法。
【請求項５２】
前記受信された登録状態（１２２）が、欠落登録情報または無効登録情報のうちの少なくとも１つを示す場合に、代替登録情報を前記ネットワークエンティティに送信することをさらに含む、請求項５０に記載の方法。
【請求項５３】
前記メッセージを前記ネットワークエンティティから受信する時に、前記デバイス（１１４）は、登録状態、発見状態、プロビジョニング状態、またはアクセス状態のうちの１つにある、請求項５０に記載の方法。
【請求項５４】
前記支払情報（３１８）は、クレジットカード番号、プリペイドアカウント番号、またはクーポン番号のうちの少なくとも１つを含む、請求項５０に記載の方法。
【請求項５５】
前記外部ネットワーク（１０６ａ、１０６ｂ、１１０、１０８ａ、１０８ｂ）は、前記デバイス（１１４）に利用可能な加入ベースのサービスに基づいて動作するサービスプロバイダネットワークである、請求項５０に記載の方法。
【請求項５６】
前記ネットワークエンティティに関連付けられたネットワークは、無線ローカルエリアネットワークである、請求項５０に記載の方法。
【請求項５７】
前記支払情報を送信することは、前記デバイス（１１４）が、拡張可能認証プロトコル（ＥＡＰ）方法を使用して、前記支払情報（３１８）を前記ネットワークエンティティに送信することを含む、請求項５０に記載の方法。
【請求項５８】
登録されたネットワークアクセスを確立するための装置であって、
プロセッサ（５０２）を備え、
前記プロセッサ（５０２）は、
ネットワーク発見の間に、メッセージをネットワークエンティティから受信することであって、前記メッセージは、デバイス（１１４）が外部ネットワーク（１０６ａ、１０６ｂ、１１０、１０８ａ、１０８ｂ）に正常に登録されているかどうかを示す登録状態（１２２）を含み、前記外部ネットワーク（１０６ａ、１０６ｂ、１１０、１０８ａ、１０８ｂ）は、前記ネットワークエンティティに関連付けられたネットワークと通信する、ことと、
前記受信された登録状態（１２２）が正常登録を示す場合に、前記正常登録に関連付けられた支払情報（３１８）を送信すること（７４６）と
を行うように構成されている、装置。
【請求項５９】
前記ネットワークエンティティは、アクセスポイント（１０４ａ、１０４ｂ、１０４ｃ）である、請求項５８に記載の装置。
【請求項６０】
前記プロセッサ（５０２）は、前記受信された登録状態（１２２）が、欠落登録情報または無効登録情報のうちの少なくとも１つを示す場合に、代替登録情報を前記ネットワークエンティティに送信するように構成されている、請求項５８に記載の装置。
【請求項６１】
前記プロセッサ（５０２）が、前記メッセージを前記ネットワークエンティティから受信する時に、前記デバイス（１１４）は、登録状態、発見状態、プロビジョニング状態、またはアクセス状態のうちの１つにある、請求項５８に記載の装置。
【請求項６２】
前記支払情報（３１８）は、クレジットカード番号、プリペイドアカウント番号、またはクーポン番号のうちの少なくとも１つを含む、請求項５８に記載の装置。
【請求項６３】
前記外部ネットワーク（１０６ａ、１０６ｂ、１１０、１０８ａ、１０８ｂ）は、前記デバイス（１１４）に利用可能な加入ベースのサービスに基づいて動作するサービスプロバイダネットワークである、請求項５８に記載の装置。
【請求項６４】
前記ネットワークエンティティに関連付けられたネットワークは、無線ローカルエリアネットワークである、請求項５８に記載の装置。
【請求項６５】
前記プロセッサ（５０２）は、拡張可能認証プロトコル（ＥＡＰ）方法を使用して、前記支払情報（３１８）を前記ネットワークエンティティに送信することによって、前記支払情報（３１８）を送信するように構成されている、請求項５８に記載の装置。
【請求項６６】
拡張可能認証プロトコル（ＥＡＰ）方法を使用して、外部ネットワークに登録する方法であって、前記登録する方法は、
ネットワーク発見の間に、１つ以上の登録プラン（１１９）をネットワークエンティティから受信すること（７１６）と、
登録プランを前記１つ以上の登録プラン（３１４）から選択することと、
前記ＥＡＰ方法を使用して、前記デバイス（１１４）に関連付けられた登録情報（３１６）を前記ネットワークエンティティに送信すること（７２４）であって、前記登録情報（３１６）は、選択された登録プラン（３１４）に基づいて選択される、ことと
を含む、方法。
【請求項６７】
前記ネットワークエンティティは、アクセスポイント（１０４ａ、１０４ｂ、１０４ｃ）である、請求項６６に記載の方法。
【請求項６８】
前記ＥＡＰ方法は、トンネル化された認証プロトコルである、請求項６６に記載の方法。
【請求項６９】
前記ＥＡＰ方法は、無線ネットワークのホットスポットアクセスのための認証フレームワークを提供する、請求項６６に記載の方法。
【請求項７０】
タイプ−長さ−値（ＴＬＶ）構造形式を使用して、前記１つ以上の登録プラン（１１９）が受信され、前記登録情報（３１６）が送信される、請求項６６に記載の方法。
【請求項７１】
タイプ−長さ−値（ＴＬＶ）構造形式を使用して、支払要件を受信し、前記支払要件に応答して支払情報を送信すること（７４６）をさらに含む、請求項６６に記載の方法。
【請求項７２】
タイプ−長さ−値（ＴＬＶ）構造形式を使用して、プロビジョニング要件を受信し、前記プロビジョニング要件に応答してプロビジョニング情報を送信することをさらに含む、請求項６６に記載の方法。
【請求項７３】
前記ネットワークエンティティは、ローカルエリアネットワークへのアクセスを提供する、請求項６６に記載の方法。
【請求項７４】
前記１つ以上の登録プラン（１１９）は、前記デバイス（１１４）を前記ローカルエリアネットワークと通信する外部ネットワーク（１０６ａ、１０６ｂ、１１０、１０８ａ、１０８ｂ）に登録することに関連付けられている、請求項７３に記載の方法。
【請求項７５】
前記外部ネットワーク（１０６ａ、１０６ｂ、１１０、１０８ａ、１０８ｂ）は、サービスプロバイダネットワークであり、前記サービスプロバイダネットワークは、前記デバイス（１１４）に利用可能な加入ベースのサービスに基づいて動作し、前記デバイスに利用可能な加入ベースのサービスは、前記１つ以上の登録プラン（１１９）に基づいている、請求項７４に記載の方法。
【請求項７６】
前記登録情報（３１６）は、使用条件の承諾、ユーザ名、またはユーザ識別のうちの少なくとも１つを含む、請求項６６に記載の方法。
【請求項７７】
前記１つ以上の登録プラン（１１９）の各々は、時間ベースのプラン、賦課方式プラン、またはフリーアクセスプランのうちの１つに関連付けられている、請求項６６に記載の方法。
【請求項７８】
拡張可能認証プロトコル（ＥＡＰ）方法を使用して、外部ネットワークに登録するための装置であって、プロセッサ（５０２）を備え、
前記プロセッサ（５０２）は、
ネットワーク発見の間に、１つ以上の登録プラン（１１９）をネットワークエンティティから受信すること（７１６）と、
登録プラン（３１４）を前記１つ以上の登録プラン（１１９）から選択することと、
前記ＥＡＰ方法を使用して、前記デバイス（１１４）に関連付けられた登録情報（３１６）を前記ネットワークエンティティに送信すること（７２４）であって、前記登録情報（３１６）は、選択された登録プラン（３１４）に基づいて選択される、ことと
を行うように構成されている、
装置。
【請求項７９】
前記ネットワークエンティティは、アクセスポイント（１０４ａ、１０４ｂ、１０４ｃ）である、請求項７８に記載の装置。
【請求項８０】
前記ＥＡＰ方法は、トンネル化された認証プロトコルである、請求項７８に記載の装置。
【請求項８１】
前記ＥＡＰ方法は、無線ネットワークのホットスポットアクセスのための認証フレームワークを提供する、請求項７８に記載の装置。
【請求項８２】
前記プロセッサ（５０２）は、タイプ−長さ−値（ＴＬＶ）構造形式を使用して、前記１つ以上の登録プラン（１１９）を受信し、前記登録情報（３１６）を送信するように構成されている、請求項７８に記載の装置。
【請求項８３】
前記プロセッサ（５０２）は、タイプ−長さ−値（ＴＬＶ）構造形式を使用して、支払要件を受信し、前記支払要件に応答して支払情報を送信する（７４６）ように構成されている、請求項７８に記載の装置。
【請求項８４】
前記プロセッサ（５０２）は、タイプ−長さ−値（ＴＬＶ）構造形式を使用して、プロビジョニング要件を受信し、前記プロビジョニング要件に応答してプロビジョニング情報を送信するように構成されている、請求項７８に記載の装置。
【請求項８５】
前記ネットワークエンティティは、ローカルエリアネットワークへのアクセスを提供する、請求項７８に記載の装置。
【請求項８６】
前記１つ以上の登録プラン（１１９）は、前記デバイス（１１４）を前記ローカルエリアネットワークと通信する外部ネットワーク（１０６ａ、１０６ｂ、１１０、１０８ａ、１０８ｂ）に登録することに関連付けられている、請求項８５に記載の装置。
【請求項８７】
前記外部ネットワーク（１０６ａ、１０６ｂ、１１０、１０８ａ、１０８ｂ）は、サービスプロバイダネットワークであり、前記サービスプロバイダネットワークは、前記デバイス（１１４）に利用可能な加入ベースのサービスに基づいて動作し、前記デバイスに利用可能な加入ベースのサービスは、前記１つ以上の登録プラン（１１９）に基づいている、請求項８６に記載の装置。
【請求項８８】
前記登録情報（３１６）は、使用条件の承諾、ユーザ名、またはユーザ識別のうちの少なくとも１つを含む、請求項７８に記載の装置。
【請求項８９】
前記１つ以上の登録プラン（１１９）の各々は、時間ベースのプラン、賦課方式プラン、またはフリーアクセスプランのうちの１つに関連付けられている、請求項７８に記載の装置。
【手続補正２】
【補正対象書類名】明細書
【補正対象項目名】００１０
【補正方法】変更
【補正の内容】
【００１０】
無線端末を外部ネットワークに登録するための従来の技法は、典型的には、無線端末が、登録または認証される前に、ＩＰアドレスを無線端末に割り当てるステップを伴う。割り当てられたＩＰアドレスは、無線端末上でＨＴＴＰベースのウェブページの起動を可能にし、ユーザに、無線端末を外部ネットワークに登録するために要求される、登録認証情報（例えば、ユーザ名／パスワード、支払情報、個人ユーザ情報等）を手動で入力することを要求する。典型的には、そのような従来のＩＰアドレスベースの登録技法は、ＨＴＴＰＳ（すなわち、セキュアソケットレイヤ（ＳＳＬ）プロトコル上のＨＴＴＰプロトコル）を使用して、セキュアなブラウザ接続を介して行われる。無線端末を登録または認証する前に、ＩＰアドレスのプロビジョニングを有効化するために、ＷＬＡＮ  ＡＰは、オープンなセキュアでないモードで動作しなければならず、情報は、ユーザ認証またはデバイス認証を伴わずに、ＩＰベースの通信を介して、交換され得る。ＷＬＡＮ技術がさらに、様々な場所に配備されるのに伴って、オープンなセキュアでないアクセスは、ＷＬＡＮホットスポットプロバイダにとってますます興味のあるものではなくなるであろう。例えば、そのようなオープンなセキュアでないアクセスは、多くの場合、悪意のあるまたはいたずらをするユーザによって、悪意を持って利用され得る、ＷＬＡＮ対応ネットワークへの特定の脆弱性を生じさせる可能性がある。すなわち、ユーザは、ＩＰまたはＨＴＴＰ通信あるいは割り当てられたＩＰアドレスに基づいてアクセス可能な他の通信プロトコルに基づく、認証バイパス技術を使用して、ホットスポットもしくはネットワークリソースにスプーフィング可能である。したがって、完全にセキュアでないアクセスは、使用されなくなるまで、その使用が経時的に減少し得るほど十分望ましくないことが分かるであろう。
例えば、本発明は以下の項目を提供する。
（項目１）  無線ローカルエリアネットワークにおけるデバイスの接続性を向上させる方法であって、
上記デバイスにおいて登録応答を受信することであって、上記登録応答は、１つ以上の登録プランを示す、ことと、
登録プランを上記１つ以上の登録プランから選択することと、
上記デバイスに関連付けられた登録情報をネットワークエンティティに送信することであって、上記登録情報は、選択された登録プランに基づいて選択される、ことと
を含む、方法。
（項目２）  上記ネットワークエンティティは、アクセスポイントである、項目１に記載の方法。
（項目３）  上記デバイスにおいて登録応答を受信することに先立って、登録要求を上記デバイスから上記ネットワークエンティティに送信することをさらに含む、項目１に記載の方法。
（項目４）  上記登録応答は、上記デバイスからの登録要求に応答して、上記ネットワークエンティティによって通信される、項目３に記載の方法。
（項目５）  上記登録プランを上記１つ以上の登録プランから選択することは、上記デバイスによって行われる、項目１に記載の方法。
（項目６）  上記選択された登録プランの識別子を上記登録情報に関連するネットワークエンティティに送信することをさらに含む、項目１に記載の方法。
（項目７）  上記登録情報は、使用条件の承諾、ユーザ名、またはユーザ識別のうちの少なくとも１つを含む、項目１に記載の方法。
（項目８）  上記１つ以上の登録プランの各々は、時間ベースのプラン、賦課方式プラン、またはフリーアクセスプランのうちの１つに関連付けられている、項目１に記載の方法。
（項目９）  上記ネットワークエンティティは、ローカルエリアネットワークへのアクセスを提供する、項目１に記載の方法。
（項目１０）  上記１つ以上の登録プランは、上記デバイスを上記ローカルエリアネットワークと通信する外部ネットワークに登録することに関連付けられている、項目９に記載の方法。
（項目１１）  上記外部ネットワークは、サービスプロバイダネットワークであり、上記サービスプロバイダネットワークは、上記デバイスに利用可能な加入ベースのサービスに基づいて動作し、上記デバイスに利用可能な加入ベースのサービスは、上記１つ以上の登録プランに基づいている、項目１０に記載の方法。
（項目１２）  上記ローカルエリアネットワークは、無線ローカルエリアネットワークである、項目９に記載の方法。
（項目１３）  上記１つ以上の登録プランは、拡張マークアップ言語（ＸＭＬ）形式におけるものである、項目１に記載の方法。
（項目１４）  プロビジョニング要求を上記デバイスから上記ネットワークエンティティに送信することと、
上記プロビジョニング要求に応答して、上記デバイスが正常にプロビジョニングされたかどうかを示す、プロビジョニング状態を受信することと
をさらに含む、項目１に記載の方法。
（項目１５）  上記デバイスに関連付けられた登録情報をネットワークエンティティに送信することは、拡張可能認証プロトコル（ＥＡＰ）方法を使用して、上記登録情報を送信することを含む、項目１に記載の方法。
（項目１６）  無線ローカルエリアネットワークにおけるデバイスの接続性を向上させるための装置であって、プロセッサを備え、
上記プロセッサは、
上記デバイスにおいて登録応答を受信することであって、上記登録応答は、１つ以上の登録プランを示す、ことと、
登録プランを上記１つ以上の登録プランから選択することと、
上記デバイスに関連付けられた登録情報をネットワークエンティティに送信することであって、上記登録情報は、選択された登録プランに基づいて選択される、ことと
を行うように構成されている、
装置。
（項目１７）  上記ネットワークエンティティは、アクセスポイントである、項目１６に記載の装置。
（項目１８）  上記プロセッサは、上記デバイスにおいて登録応答を受信することに先立って、登録要求を上記デバイスから上記ネットワークエンティティに送信するように構成されている、項目１６に記載の装置。
（項目１９）  上記登録応答は、上記デバイスからの登録要求に応答して、上記ネットワークエンティティによって通信される、項目１８に記載の装置。
（項目２０）  上記プロセッサは、上記選択された登録プランの識別子を上記登録情報に関連するネットワークエンティティに送信するように構成されている、項目１６に記載の装置。
（項目２１）  上記登録情報は、使用条件の承諾、ユーザ名、またはユーザ識別のうちの少なくとも１を含む、項目１６に記載の装置。
（項目２２）  上記１つ以上の登録プランの各々は、時間ベースのプラン、賦課方式プラン、またはフリーアクセスプランのうちの１つに関連付けられている、項目１６に記載の装置。
（項目２３）  上記ネットワークエンティティは、ローカルエリアネットワークへのアクセスを提供する、項目１６に記載の装置。
（項目２４）  上記１つ以上の登録プランは、上記デバイスを上記ローカルエリアネットワークと通信する外部ネットワークに登録することに関連付けられている、項目２３に記載の装置。
（項目２５）  上記外部ネットワークは、サービスプロバイダネットワークであり、上記サービスプロバイダネットワークは、上記デバイスに利用可能な加入ベースのサービスに基づいて動作し、上記デバイスに利用可能な加入ベースのサービスは、上記１つ以上の登録プランに基づいている、項目２４に記載の装置。
（項目２６）  上記ローカルエリアネットワークは、無線ローカルエリアネットワークである、項目２３に記載の装置。
（項目２７）  上記１つ以上の登録プランは、拡張マークアップ言語（ＸＭＬ）形式におけるものである、項目１６に記載の装置。
（項目２８）  上記プロセッサは、
プロビジョニング要求を上記ネットワークエンティティに送信することと、
上記プロビジョニング要求に応答して、上記デバイスが正常にプロビジョニングされたかどうかを示すプロビジョニング状態を受信することと
を行うように構成されている、項目１６に記載の装置。
（項目２９）  上記プロセッサは、拡張可能認証プロトコル（ＥＡＰ）方法を使用して、上記登録情報を送信することによって、上記デバイスに関連付けられた登録情報を上記ネットワークエンティティに送信するように構成されている、項目１６に記載の装置。
（項目３０）  無線ローカルエリアネットワークにおけるデバイスを登録する方法であって、
登録要求を上記デバイスから受信することと、
上記登録要求に応答して、１つ以上の登録プランを含む応答を上記デバイスに送信することであって、上記１つ以上の登録プランは、上記無線ローカルエリアネットワークを介するネットワークアクセスのために、上記デバイスを登録することに関連付けられている、ことと、
登録情報を上記デバイスから受信することであって、上記登録情報は、上記デバイスによって選択された１つ以上の登録プランのうちの１つに関連付けられている、ことと
を含む、方法。
（項目３１）  上記デバイスからの登録情報は、上記デバイスへの応答に応答している、項目３０に記載の方法。
（項目３２）  上記１つ以上の登録プランから選択された登録プランの識別子を受信することをさらに含む、項目３０に記載の方法。
（項目３３）  メッセージを上記無線ローカルエリアネットワークの外部にある外部ネットワークに送信することをさらに含み、上記メッセージは、少なくとも上記選択された登録プランの識別子および上記登録情報を含む、項目３２に記載の方法。
（項目３４）  上記外部ネットワークから、上記選択された登録プランおよび上記登録情報に関連付けられた登録状態を受信することをさらに含み、上記登録状態は、上記デバイスが上記外部ネットワークに正常に登録されているかどうかを示す、項目３３に記載の方法。
（項目３５）  上記外部ネットワークは、サービスプロバイダネットワークであり、上記サービスプロバイダネットワークは、上記デバイスに利用可能な加入ベースのサービスに基づいて動作し、上記デバイスに利用可能な加入ベースのサービスは、上記１つ以上の登録プランに基づいている、項目３３に記載の方法。
（項目３６）  プロビジョニング要求を上記デバイスから受信することと、
上記プロビジョニング要求に応答して、プロビジョニング状態を送信することであって、上記プロビジョニング状態は、上記無線ローカルエリアネットワークの外部にあるネットワークによって、上記デバイスが正常にプロビジョニングされたかどうかを示す、ことと
をさらに含む、項目３０に記載の方法。
（項目３７）  上記１つ以上の登録プランは、上記デバイスを上記無線ローカルエリアネットワークと通信する外部ネットワークに登録することに関連付けられている、項目３０に記載の方法。
（項目３８）  上記１つ以上の登録プランは、拡張マークアップ言語（ＸＭＬ）形式におけるものである、項目３０に記載の方法。
（項目３９）  上記登録情報を上記デバイスから受信することは、拡張可能認証プロトコル（ＥＡＰ）方法を使用して、上記登録情報を受信することを含む、項目３０に記載の方法。
（項目４０）  無線ローカルエリアネットワークにおけるデバイスを登録するための装置であって、プロセッサを備え、
上記プロセッサは、
登録要求を上記デバイスから受信することと、
上記登録要求に応答して、１つ以上の登録プランを含む応答を上記デバイスに送信することであって、上記１つ以上の登録プランは、上記無線ローカルエリアネットワークを介するネットワークアクセスのために、上記デバイスを登録することに関連付けられている、ことと、
登録情報を上記デバイスから受信することであって、上記登録情報は、上記デバイスによって選択された１つ以上の登録プランのうちの１つに関連付けられている、ことと
を行うように構成されている、
装置。
（項目４１）  上記デバイスからの登録情報は、上記デバイスへの応答に応答している、項目４０に記載の装置。
（項目４２）  上記プロセッサは、上記１つ以上の登録プランから選択された登録プランの識別子を受信するように構成されている、項目４０に記載の装置。
（項目４３）  上記プロセッサは、メッセージを上記無線ローカルエリアネットワークの外部にある外部ネットワークに送信するように構成され、上記メッセージは、少なくとも上記選択された登録プランの識別子および上記登録情報を含む、項目４２に記載の装置。
（項目４４）  上記プロセッサは、上記外部ネットワークから、上記選択された登録プランおよび上記登録情報に関連付けられた登録状態を受信するように構成され、上記登録状態は、上記デバイスが上記外部ネットワークに正常に登録されているかどうかを示す、項目４３に記載の装置。
（項目４５）  上記外部ネットワークは、サービスプロバイダネットワークであり、上記サービスプロバイダネットワークは、上記デバイスに利用可能な加入ベースのサービスに基づいて動作し、上記デバイスに利用可能な加入ベースのサービスは、上記１つ以上の登録プランに基づいている、項目４３に記載の装置。
（項目４６）  上記プロセッサは、
プロビジョニング要求を上記デバイスから受信することと、
上記プロビジョニング要求に応答して、プロビジョニング状態を送信することであって、上記プロビジョニング状態は、上記無線ローカルエリアネットワークの外部にあるネットワークによって、上記デバイスが正常にプロビジョニングされたかどうかを示す、ことと
を行うように構成されている、項目４０に記載の装置。
（項目４７）  上記１つ以上の登録プランは、上記デバイスを上記無線ローカルエリアネットワークと通信する外部ネットワークに登録することに関連付けられている、項目４０に記載の装置。
（項目４８）  上記１つ以上の登録プランは、拡張マークアップ言語（ＸＭＬ）形式におけるものである、項目４０に記載の装置。
（項目４９）  上記プロセッサは、拡張可能認証プロトコル（ＥＡＰ）方法を使用して、上記登録情報を受信することによって、上記登録情報を上記デバイスから受信するように構成されている、項目４０に記載の装置。
（項目５０）  登録されたネットワークアクセスを確立する方法であって、
メッセージをネットワークエンティティから受信することであって、上記メッセージは、デバイスが外部ネットワークに正常に登録されているかどうかを示す登録状態を含み、上記外部ネットワークは、上記ネットワークエンティティに関連付けられたネットワークと通信する、ことと、
上記受信された登録状態が正常登録を示す場合に、上記正常登録に関連付けられた支払情報を送信することと
を含む、方法。
（項目５１）  上記ネットワークエンティティは、アクセスポイントである、項目５０に記載の方法。
（項目５２）  上記受信された登録状態が、欠落登録情報または無効登録情報のうちの少なくとも１つを示す場合に、代替登録情報を上記ネットワークエンティティに送信することをさらに含む、項目５０に記載の方法。
（項目５３）  上記メッセージを上記ネットワークエンティティから受信する時に、上記デバイスは、登録状態、発見状態、プロビジョニング状態、またはアクセス状態のうちの１つにある、項目５０に記載の方法。
（項目５４）  上記支払情報は、クレジットカード番号、プリペイドアカウント番号、またはクーポン番号のうちの少なくとも１つを含む、項目５０に記載の方法。
（項目５５）  上記外部ネットワークは、上記デバイスに利用可能な加入ベースのサービスに基づいて動作するサービスプロバイダネットワークである、項目５０に記載の方法。
（項目５６）  上記ネットワークエンティティに関連付けられたネットワークは、無線ローカルエリアネットワークである、項目５０に記載の方法。
（項目５７）  上記支払情報を送信することは、上記デバイスが、拡張可能認証プロトコル（ＥＡＰ）方法を使用して、上記支払情報を上記ネットワークエンティティに送信することを含む、項目５０に記載の方法。
（項目５８）  登録されたネットワークアクセスを確立するための装置であって、
プロセッサを備え、
上記プロセッサは、
メッセージをネットワークエンティティから受信することであって、上記メッセージは、デバイスが外部ネットワークに正常に登録されているかどうかを示す登録状態を含み、上記外部ネットワークは、上記ネットワークエンティティに関連付けられたネットワークと通信する、ことと、
上記受信された登録状態が正常登録を示す場合に、上記正常登録に関連付けられた支払情報を送信することと
を行うように構成されている、装置。
（項目５９）  上記ネットワークエンティティは、アクセスポイントである、項目５８に記載の装置。
（項目６０）  上記プロセッサは、上記受信された登録状態が、欠落登録情報または無効登録情報のうちの少なくとも１つを示す場合に、代替登録情報を上記ネットワークエンティティに送信するように構成されている、項目５８に記載の装置。
（項目６１）  上記プロセッサが、上記メッセージを上記ネットワークエンティティから受信する時に、上記デバイスは、登録状態、発見状態、プロビジョニング状態、またはアクセス状態のうちの１つにある、項目５８に記載の装置。
（項目６２）  上記支払情報は、クレジットカード番号、プリペイドアカウント番号、またはクーポン番号のうちの少なくとも１つを含む、項目５８に記載の装置。
（項目６３）  上記外部ネットワークは、上記デバイスに利用可能な加入ベースのサービスに基づいて動作するサービスプロバイダネットワークである、項目５８に記載の装置。
（項目６４）  上記ネットワークエンティティに関連付けられたネットワークは、無線ローカルエリアネットワークである、項目５８に記載の装置。
（項目６５）  上記プロセッサは、拡張可能認証プロトコル（ＥＡＰ）方法を使用して、上記支払情報を上記ネットワークエンティティに送信することによって、上記支払情報を送信するように構成されている、項目５８に記載の装置。
（項目６６）  拡張可能認証プロトコル（ＥＡＰ）方法を使用して、外部ネットワークに登録する方法であって、上記登録する方法は、
１つ以上の登録プランをネットワークエンティティから受信することと、
登録プランを上記１つ以上の登録プランから選択することと、
上記ＥＡＰ方法を使用して、上記デバイスに関連付けられた登録情報を上記ネットワークエンティティに送信することであって、上記登録情報は、選択された登録プランに基づいて選択される、ことと
を含む、方法。
（項目６７）  上記ネットワークエンティティは、アクセスポイントである、項目６６に記載の方法。
（項目６８）  上記ＥＡＰ方法は、トンネル化された認証プロトコルである、項目６６に記載の方法。
（項目６９）  上記ＥＡＰ方法は、無線ネットワークのホットスポットアクセスのための認証フレームワークを提供する、項目６６に記載の方法。
（項目７０）  タイプ−長さ−値（ＴＬＶ）構造形式を使用して、上記１つ以上の登録プランが受信され、上記登録情報が送信される、項目６６に記載の方法。
（項目７１）  タイプ−長さ−値（ＴＬＶ）構造形式を使用して、支払要件を受信し、上記支払要件に応答して支払情報を送信することをさらに含む、項目６６に記載の方法。
（項目７２）  タイプ−長さ−値（ＴＬＶ）構造形式を使用して、プロビジョニング要件を受信し、上記プロビジョニング要件に応答してプロビジョニング情報を送信することをさらに含む、項目６６に記載の方法。
（項目７３）  上記ネットワークエンティティは、ローカルエリアネットワークへのアクセスを提供する、項目６６に記載の方法。
（項目７４）  上記１つ以上の登録プランは、上記デバイスを上記ローカルエリアネットワークと通信する外部ネットワークに登録することに関連付けられている、項目７３に記載の方法。
（項目７５）  上記外部ネットワークは、サービスプロバイダネットワークであり、上記サービスプロバイダネットワークは、上記デバイスに利用可能な加入ベースのサービスに基づいて動作し、上記デバイスに利用可能な加入ベースのサービスは、上記１つ以上の登録プランに基づいている、項目７４に記載の方法。
（項目７６）  上記登録情報は、使用条件の承諾、ユーザ名、またはユーザ識別のうちの少なくとも１つを含む、項目６６に記載の方法。
（項目７７）  上記１つ以上の登録プランの各々は、時間ベースのプラン、賦課方式プラン、またはフリーアクセスプランのうちの１つに関連付けられている、項目６６に記載の方法。
（項目７８）  拡張可能認証プロトコル（ＥＡＰ）方法を使用して、外部ネットワークに登録するための装置であって、プロセッサを備え、
上記プロセッサは、
１つ以上の登録プランをネットワークエンティティから受信することと、
登録プランを上記１つ以上の登録プランから選択することと、
上記ＥＡＰ方法を使用して、上記デバイスに関連付けられた登録情報を上記ネットワークエンティティに送信することであって、上記登録情報は、選択された登録プランに基づいて選択される、ことと
を行うように構成されている、
装置。
（項目７９）  上記ネットワークエンティティは、アクセスポイントである、項目７８に記載の装置。
（項目８０）  上記ＥＡＰ方法は、トンネル化された認証プロトコルである、項目７８に記載の装置。
（項目８１）  上記ＥＡＰ方法は、無線ネットワークのホットスポットアクセスのための認証フレームワークを提供する、項目７８に記載の装置。
（項目８２）  上記プロセッサは、タイプ−長さ−値（ＴＬＶ）構造形式を使用して、上記１つ以上の登録プランを受信し、上記登録情報を送信するように構成されている、項目７８に記載の装置。
（項目８３）  上記プロセッサは、タイプ−長さ−値（ＴＬＶ）構造形式を使用して、支払要件を受信し、上記支払要件に応答して支払情報を送信するように構成されている、項目７８に記載の装置。
（項目８４）  上記プロセッサは、タイプ−長さ−値（ＴＬＶ）構造形式を使用して、プロビジョニング要件を受信し、上記プロビジョニング要件に応答してプロビジョニング情報を送信するように構成されている、項目７８に記載の装置。
（項目８５）  上記ネットワークエンティティは、ローカルエリアネットワークへのアクセスを提供する、項目７８に記載の装置。
（項目８６）  上記１つ以上の登録プランは、上記デバイスを上記ローカルエリアネットワークと通信する外部ネットワークに登録することに関連付けられている、項目８５に記載の装置。
（項目８７）  上記外部ネットワークは、サービスプロバイダネットワークであり、上記サービスプロバイダネットワークは、上記デバイスに利用可能な加入ベースのサービスに基づいて動作し、上記デバイスに利用可能な加入ベースのサービスは、上記１つ以上の登録プランに基づいている、項目８６に記載の装置。
（項目８８）  上記登録情報は、使用条件の承諾、ユーザ名、またはユーザ識別のうちの少なくとも１つを含む、項目７８に記載の装置。
（項目８９）  上記１つ以上の登録プランの各々は、時間ベースのプラン、賦課方式プラン、またはフリーアクセスプランのうちの１つに関連付けられている、項目７８に記載の装置。
【手続補正３】
【補正対象書類名】明細書
【補正対象項目名】００１８
【補正方法】変更
【補正の内容】
【００１８】
図１の例証される実施例では、無線端末１１４は、登録状態（例えば、無線端末１１４が、ＡＰ１０４ａに登録している間）、発見状態（例えば、無線端末１１４が、ＡＰ１０４ａの能力を発見する過程にある間）、プロビジョニング状態（例えば、無線端末１１４が、外部ネットワークとプロビジョニング過程にある間）、またはアクセス状態（例えば、無線端末１１４が、ＡＰを介して、ネットワークアクセスを取得し、その後、ＡＰに接続された外部ネットワークに登録することを選択した後）のうちの少なくとも１つで動作する間、メッセージ１１６、１１８、１２０、および１２２を交換し得る。
【手続補正４】
【補正対象書類名】明細書
【補正対象項目名】００２０
【補正方法】変更
【補正の内容】
【００２０】
図２を参照すると、例えば、公知のオープンシステム相互接続（ＯＳＩ）参照モデルに従って実装され得る、７つの層を有するものとして、例示的通信層アーキテクチャ２００が示される。図１の無線端末１１４は、例示的通信層アーキテクチャ２００の基づいて、図１のＡＰ１０４ａ−ｃと通信可能である。例証される実施例では、通信層アーキテクチャ２００は、媒体アクセス制御（ＭＡＣ）サブ層２０４を含む、データリンク層２０２を含む。無線端末（例えば、図１の無線端末１１４）が、ネットワーク登録メッセージ２０６（例えば、図１のメッセージ１１６、１１８、１２０、および１２２）を無線ＡＰ（例えば、図１の無線ＡＰ  １０４ａ−ｃ）と交換可能にするために、本明細書に説明される例示的方法および装置を使用して、ＭＡＣサブ層２０４において、登録情報（例えば、登録情報１２０）を提供するステップを含む、動作またはプロセスを行うことが可能である。すなわち、無線端末は、ＩＰ層（例えば、ネットワーク層２０８）またはそれより上位における動作を使用する必要なく、またはそのような登録プロセスの際、別様にＩＰ層へのアクセスを提供する必要なく、無線ＡＰに登録し、ＭＡＣサブ層２０４において、登録情報を無線ＡＰと通信することを要求可能である。
【手続補正５】
【補正対象書類名】明細書
【補正対象項目名】００５６
【補正方法】変更
【補正の内容】
【００５６】
ブロック７３８において、無線端末１１４が、登録情報の全部が有効であると判定した場合（ブロック７３８）、制御は、図７Ｂのブロック７４２に進み、無線端末１１４は、支払情報が要求されるかどうか判定する（ブロック７４２）。例えば、ブロック７２０において選択されたプランに応じて、支払は、正常登録を可能にするために要求され得る。支払が要求される場合（ブロック７４２）、無線端末１１４は、支払情報を読み出す（ブロック７４４）。例えば、無線端末１１４が、事前に格納された支払情報（例えば、クレジットカード情報、オンライン支払アカウント番号等）を有する場合、無線端末１１４は、そのメモリ（例えば、フラッシュメモリ５０８またはＲＡＭ５１０）から支払情報を読み出すことが可能である。加えて、または代替として、支払情報の一部または全部が、ユーザによって提供されなければならない場合、無線端末１１４は、ユーザ（例えば、グラフィカルユーザインターフェースプロンプトを介して）に、要求される支払情報（例えば、クレジットカード情報）を提供可能である。例証される実施例では、端末メッセージ生成器５０４は、ＴＬＶ形式メッセージまたはＸＭＬ形式メッセージにおいて、支払情報を形成し、支払情報メッセージを生成するために使用可能である。無線端末１１４は、例えば、図３の支払メッセージ３１８を介して、支払情報をＡＰ１０４ａに伝送する（ブロック７４６）。
【手続補正６】
【補正対象書類名】図面
【補正対象項目名】全図
【補正方法】変更
【補正の内容】
【図１】
2012533920.tif 000012
【図２】
2012533920.tif 000013
【図３】
2012533920.tif 000014
【図４】
2012533920.tif 000015
【図５】
2012533920.tif 000016
【図６】
2012533920.tif 000017
【図７Ａ】
2012533920.tif 000018
【図７Ｂ】
2012533920.tif 000019
【図８】
2012533920.tif 000020
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
無線ローカルエリアネットワークにおけるデバイスの接続性を向上させる方法であって、
ネットワーク発見の間に、前記デバイス（１１４）において登録応答（１１８）を受信すること（７１６）であって、前記登録応答（１１８）は、１つ以上の登録プラン（１１９）を示す、ことと、
登録プラン（３１４）を前記１つ以上の登録プラン（１１９）から選択すること（７２０）と、
前記デバイス（１１４）に関連付けられた登録情報（３１６）をネットワークエンティティに送信すること（７２４）であって、前記登録情報は、選択された登録プランに基づいて選択される、ことと
を含む、方法。
【請求項２】
前記ネットワークエンティティは、アクセスポイント（１０４ａ、１０４ｂ、１０４ｃ）である、請求項１に記載の方法。
【請求項３】
前記デバイス（１１４）において前記登録応答を受信することに先立って、登録要求（１１６）を前記デバイス（１１４）から前記ネットワークエンティティに送信すること（７１０）をさらに含む、請求項１に記載の方法。
【請求項４】
前記登録応答（１１８）は、前記デバイス（１１４）からの前記登録要求（１１６）に応答して、前記ネットワークエンティティによって通信される、請求項３に記載の方法。
【請求項５】
前記登録プラン（３１４）を前記１つ以上の登録プラン（１１９）から選択することは、前記デバイス（１１４）によって行われる、請求項１に記載の方法。
【請求項６】
前記選択された登録プラン（３１４）の識別子を前記登録情報（３１６）に関連するネットワークエンティティに送信することをさらに含む、請求項１に記載の方法。
【請求項７】
前記登録情報（３１６）は、使用条件の承諾、ユーザ名、またはユーザ識別のうちの少なくとも１つを含む、請求項１に記載の方法。
【請求項８】
前記１つ以上の登録プラン（１１９）の各々は、時間ベースのプラン、賦課方式プラン、またはフリーアクセスプランのうちの１つに関連付けられている、請求項１に記載の方法。
【請求項９】
前記ネットワークエンティティは、ローカルエリアネットワークへのアクセスを提供する、請求項１に記載の方法。
【請求項１０】
前記１つ以上の登録プラン（１１９）は、前記デバイス（１１４）を前記ローカルエリアネットワークと通信する外部ネットワーク（１０６ａ、１０６ｂ、１１０、１０８ａ、１０８ｂ）に登録することに関連付けられている、請求項９に記載の方法。
【請求項１１】
前記外部ネットワーク（１０６ａ、１０６ｂ、１１０、１０８ａ、１０８ｂ）は、サービスプロバイダネットワークであり、前記サービスプロバイダネットワークは、前記デバイス（１１４）に利用可能な加入ベースのサービスに基づいて動作し、前記デバイスに利用可能な加入ベースのサービスは、前記１つ以上の登録プラン（１１９）に基づいている、請求項１０に記載の方法。
【請求項１２】
前記ローカルエリアネットワークは、無線ローカルエリアネットワークである、請求項９に記載の方法。
【請求項１３】
前記１つ以上の登録プラン（１１９）は、拡張マークアップ言語（ＸＭＬ）形式におけるものである、請求項１に記載の方法。
【請求項１４】
プロビジョニング要求（３２０）を前記デバイス（１１４）から前記ネットワークエンティティに送信することと、
前記プロビジョニング要求に応答して、前記デバイスが正常にプロビジョニングされているかどうかを示すプロビジョニング状態を受信することと
をさらに含む、請求項１に記載の方法。
【請求項１５】
前記デバイス（１１４）に関連付けられた前記登録情報（３１６）を前記ネットワークエンティティに送信することは、拡張可能認証プロトコル（ＥＡＰ）方法を使用して、前記登録情報（３１６）を送信することを含む、請求項１に記載の方法。
【請求項１６】
無線ローカルエリアネットワークにおけるデバイスの接続性を向上させるための装置であって、前記装置は、プロセッサ（５０２）を備え、
前記プロセッサ（５０２）は、
ネットワーク発見の間に、前記デバイス（１１４）において登録応答（１１８）を受信すること（７１６）であって、前記登録応答（１１８）は、１つ以上の登録プラン（１１９）を示す、ことと、
登録プラン（３１４）を前記１つ以上の登録プラン（１１９）から選択すること（７２０）と、
前記デバイス（１１４）に関連付けられた登録情報（３１６）をネットワークエンティティに送信すること（７２４）であって、前記登録情報は、選択された登録プランに基づいて選択される、ことと
を行うように構成されている、装置。
【請求項１７】
前記ネットワークエンティティは、アクセスポイント（１０４ａ、１０４ｂ、１０４ｃ）である、請求項１６に記載の装置。
【請求項１８】
前記プロセッサ（５０２）は、前記デバイス（１１４）において前記登録応答を受信することに先立って、登録要求（１１６）を前記デバイス（１１４）から前記ネットワークエンティティに送信する（７１０）ように構成されている、請求項１６に記載の装置。
【請求項１９】
前記登録応答（１１８）は、前記デバイス（１１４）からの前記登録要求（１１６）に応答して、前記ネットワークエンティティによって通信される、請求項１８に記載の装置。
【請求項２０】
前記プロセッサ（５０２）は、前記選択された登録プラン（３１４）の識別子を前記登録情報（３１６）に関連するネットワークエンティティに送信するように構成されている、請求項１６に記載の装置。
【請求項２１】
前記登録情報（３１６）は、使用条件の承諾、ユーザ名、またはユーザ識別のうちの少なくとも１を含む、請求項１６に記載の装置。
【請求項２２】
前記１つ以上の登録プラン（１１９）の各々は、時間ベースのプラン、賦課方式プラン、またはフリーアクセスプランのうちの１つに関連付けられている、請求項１６に記載の装置。
【請求項２３】
前記ネットワークエンティティは、ローカルエリアネットワークへのアクセスを提供する、請求項１６に記載の装置。
【請求項２４】
前記１つ以上の登録プラン（１１９）は、前記デバイス（１１４）を前記ローカルエリアネットワークと通信する外部ネットワーク（１０６ａ、１０６ｂ、１１０、１０８ａ、１０８ｂ）に登録することに関連付けられている、請求項２３に記載の装置。
【請求項２５】
前記外部ネットワーク（１０６ａ、１０６ｂ、１１０、１０８ａ、１０８ｂ）は、サービスプロバイダネットワークであり、前記サービスプロバイダネットワークは、前記デバイスに利用可能な加入ベースのサービスに基づいて動作し、前記デバイス（１１４）に利用可能な加入ベースのサービスは、前記１つ以上の登録プラン（１１９）に基づいている、請求項２４に記載の装置。
【請求項２６】
前記ローカルエリアネットワークは、無線ローカルエリアネットワークである、請求項２３に記載の装置。
【請求項２７】
前記１つ以上の登録プラン（１１９）は、拡張マークアップ言語（ＸＭＬ）形式におけるものである、請求項１６に記載の装置。
【請求項２８】
前記プロセッサは、
プロビジョニング要求（３２０）を前記ネットワークエンティティに送信することと、
前記プロビジョニング要求に応答して、前記デバイスが正常にプロビジョニングされているかどうかを示すプロビジョニング状態を受信することと
を行うように構成されている、請求項１６に記載の装置。
【請求項２９】
前記プロセッサ（５０２）は、拡張可能認証プロトコル（ＥＡＰ）方法を使用して、前記登録情報（３１６）を送信することによって、前記デバイス（１１４）に関連付けられた前記登録情報（３１６）を前記ネットワークエンティティに送信するように構成されている、請求項１６に記載の装置。
【請求項３０】
無線ローカルエリアネットワークにおけるデバイスを登録する方法であって、
登録要求（１１６）を前記デバイス（１１４）から受信すること（７１２）と、
ネットワーク発見の間に、前記登録要求（１１６）に応答して、応答（１１８）を前記デバイス（１１４）に送信すること（７１４）であって、前記応答（１１８）は、前記無線ローカルエリアネットワークを介するネットワークアクセスのために、前記デバイス（１１４）を登録することに関連付けられている１つ以上の登録プラン（１１９）を含む、ことと、
登録情報（３１６）を前記デバイス（１１４）から受信することであって、前記登録情報（３１６）は、前記１つ以上の登録プラン（１１９）のうち前記デバイス（１１４）によって選択された１つに関連付けられている、ことと
を含む、方法。
【請求項３１】
前記デバイス（１１４）からの前記登録情報（３１６）は、前記デバイス（１１４）への前記応答（１１８）に応答している、請求項３０に記載の方法。
【請求項３２】
前記１つ以上の登録プラン（１１９）から選択された登録プラン（３１４）の識別子を受信することをさらに含む、請求項３０に記載の方法。
【請求項３３】
メッセージを前記無線ローカルエリアネットワークの外部にある外部ネットワーク（１０６ａ、１０６ｂ、１１０、１０８ａ、１０８ｂ）に送信すること（７２８）をさらに含み、前記メッセージは、少なくとも前記選択された登録プランの識別子および前記登録情報を含む、請求項３２に記載の方法。
【請求項３４】
前記外部ネットワーク（１０６ａ、１０６ｂ、１１０、１０８ａ、１０８ｂ）から、前記選択された登録プランおよび前記登録情報に関連付けられた登録状態を受信すること（７３０）をさらに含み、前記登録状態は、前記デバイス（１１４）が前記外部ネットワーク（１０６ａ、１０６ｂ、１１０、１０８ａ、１０８ｂ）に正常に登録されているかどうかを示す、請求項３３に記載の方法。
【請求項３５】
前記外部ネットワーク（１０６ａ、１０６ｂ、１１０、１０８ａ、１０８ｂ）は、サービスプロバイダネットワークであり、前記サービスプロバイダネットワークは、前記デバイス（１１４）に利用可能な加入ベースのサービスに基づいて動作し、前記デバイスに利用可能な加入ベースのサービスは、前記１つ以上の登録プラン（１１９）に基づいている、請求項３３に記載の方法。
【請求項３６】
プロビジョニング要求（３２０）を前記デバイス（１１４）から受信することと、
前記プロビジョニング要求（３２０）に応答して、プロビジョニング状態を送信することであって、前記プロビジョニング状態は、前記無線ローカルエリアネットワークの外部にあるネットワーク（１０６ａ、１０６ｂ、１１０、１０８ａ、１０８ｂ）に前記デバイス（１１４）が正常にプロビジョニングされているかどうかを示す、ことと
をさらに含む、請求項３０に記載の方法。
【請求項３７】
前記１つ以上の登録プラン（１１９）は、前記デバイス（１１４）を前記無線ローカルエリアネットワークと通信する外部ネットワーク（１０６ａ、１０６ｂ、１１０、１０８ａ、１０８ｂ）に登録することに関連付けられている、請求項３０に記載の方法。
【請求項３８】
前記１つ以上の登録プラン（１１９）は、拡張マークアップ言語（ＸＭＬ）形式におけるものである、請求項３０に記載の方法。
【請求項３９】
前記登録情報（３１６）を前記デバイス（１１４）から受信することは、拡張可能認証プロトコル（ＥＡＰ）方法を使用して、前記登録情報（３１６）を受信することを含む、請求項３０に記載の方法。
【請求項４０】
無線ローカルエリアネットワークにおけるデバイスを登録するための装置であって、
前記装置は、プロセッサ（５０２）を備え、
前記プロセッサ（５０２）は、
登録要求（１１６）を前記デバイス（１１４）から受信すること（７１２）と、
ネットワーク発見の間に、前記登録要求（１１６）に応答して、応答（１１８）を前記デバイス（１１４）に送信すること（７１４）であって、前記応答（１１８）は、前記無線ローカルエリアネットワークを介するネットワークアクセスのために、前記デバイス（１１４）を登録することに関連付けられている１つ以上の登録プラン（１１９）を含む、ことと、
登録情報（３１６）を前記デバイス（１１４）から受信することであって、前記登録情報（３１６）は、前記１つ以上の登録プラン（１１９）のうち前記デバイス（１１４）によって選択された１つに関連付けられている、ことと
を行うように構成されている、装置。
【請求項４１】
前記デバイス（１１４）からの前記登録情報（３１６）は、前記デバイス（１１４）への前記応答（１１８）に応答している、請求項４０に記載の装置。
【請求項４２】
前記プロセッサ（５０２）は、前記１つ以上の登録プラン（１１９）から選択された登録プラン（３１４）の識別子を受信するように構成されている、請求項４０に記載の装置。
【請求項４３】
前記プロセッサ（５０２）は、メッセージを前記無線ローカルエリアネットワークの外部にある外部ネットワーク（１０６ａ、１０６ｂ、１１０、１０８ａ、１０８ｂ）に送信する（７２８）ように構成されており、前記メッセージは、少なくとも前記選択された登録プランの識別子および前記登録情報を含む、請求項４２に記載の装置。
【請求項４４】
前記プロセッサ（５０２）は、前記外部ネットワーク（１０６ａ、１０６ｂ、１１０、１０８ａ、１０８ｂ）から、前記選択された登録プランおよび前記登録情報に関連付けられた登録状態を受信する（７３０）ように構成されており、前記登録状態は、前記デバイス（１１４）が前記外部ネットワーク（１０６ａ、１０６ｂ、１１０、１０８ａ、１０８ｂ）に正常に登録されているかどうかを示す、請求項４３に記載の装置。
【請求項４５】
前記外部ネットワーク（１０６ａ、１０６ｂ、１１０、１０８ａ、１０８ｂ）は、サービスプロバイダネットワークであり、前記サービスプロバイダネットワークは、前記デバイス（１１４）に利用可能な加入ベースのサービスに基づいて動作し、前記デバイスに利用可能な加入ベースのサービスは、前記１つ以上の登録プラン（１１９）に基づいている、請求項４３に記載の装置。
【請求項４６】
前記プロセッサ（５０２）は、
プロビジョニング要求（３２０）を前記デバイス（１１４）から受信することと、
前記プロビジョニング要求（３２０）に応答して、プロビジョニング状態を送信することであって、前記プロビジョニング状態は、前記無線ローカルエリアネットワークの外部にあるネットワーク（１０６ａ、１０６ｂ、１１０、１０８ａ、１０８ｂ）に前記デバイス（１１４）が正常にプロビジョニングされているかどうかを示す、ことと
を行うように構成されている、請求項４０に記載の装置。
【請求項４７】
前記１つ以上の登録プラン（１１９）は、前記デバイス（１１４）を前記無線ローカルエリアネットワークと通信する外部ネットワーク（１０６ａ、１０６ｂ、１１０、１０８ａ、１０８ｂ）に登録することに関連付けられている、請求項４０に記載の装置。
【請求項４８】
前記１つ以上の登録プラン（１１９）は、拡張マークアップ言語（ＸＭＬ）形式におけるものである、請求項４０に記載の装置。
【請求項４９】
前記プロセッサ（５０２）は、拡張可能認証プロトコル（ＥＡＰ）方法を使用して、前記登録情報（３１６）を受信することによって、前記登録情報（３１６）を前記デバイス（１１４）から受信するように構成されている、請求項４０に記載の装置。
【請求項５０】
登録されたネットワークアクセスを確立する方法であって、
ネットワーク発見の間に、メッセージをネットワークエンティティから受信すること（７３６）であって、前記メッセージは、デバイス（１１４）が外部ネットワーク（１０６ａ、１０６ｂ、１１０、１０８ａ、１０８ｂ）に正常に登録されているかどうかを示す登録状態（１２２）を含み、前記外部ネットワーク（１０６ａ、１０６ｂ、１１０、１０８ａ、１０８ｂ）は、前記ネットワークエンティティに関連付けられたネットワークと通信する、ことと、
前記受信された登録状態（１２２）が正常登録を示す場合に、前記正常登録に関連付けられた支払情報（３１８）を送信すること（７４６）と
を含む、方法。
【請求項５１】
前記ネットワークエンティティは、アクセスポイント（１０４ａ、１０４ｂ、１０４ｃ）である、請求項５０に記載の方法。
【請求項５２】
前記受信された登録状態（１２２）が、欠落登録情報または無効登録情報のうちの少なくとも１つを示す場合に、代替登録情報を前記ネットワークエンティティに送信することをさらに含む、請求項５０に記載の方法。
【請求項５３】
前記メッセージを前記ネットワークエンティティから受信する時に、前記デバイス（１１４）は、登録状態、発見状態、プロビジョニング状態、またはアクセス状態のうちの１つにある、請求項５０に記載の方法。
【請求項５４】
前記支払情報（３１８）は、クレジットカード番号、プリペイドアカウント番号、またはクーポン番号のうちの少なくとも１つを含む、請求項５０に記載の方法。
【請求項５５】
前記外部ネットワーク（１０６ａ、１０６ｂ、１１０、１０８ａ、１０８ｂ）は、前記デバイス（１１４）に利用可能な加入ベースのサービスに基づいて動作するサービスプロバイダネットワークである、請求項５０に記載の方法。
【請求項５６】
前記ネットワークエンティティに関連付けられた前記ネットワークは、無線ローカルエリアネットワークである、請求項５０に記載の方法。
【請求項５７】
前記支払情報を送信することは、前記デバイス（１１４）が、拡張可能認証プロトコル（ＥＡＰ）方法を使用して、前記支払情報（３１８）を前記ネットワークエンティティに送信することを含む、請求項５０に記載の方法。
【請求項５８】
登録されたネットワークアクセスを確立するための装置であって、
前記装置は、プロセッサ（５０２）を備え、
前記プロセッサ（５０２）は、
ネットワーク発見の間に、メッセージをネットワークエンティティから受信すること（７３６）であって、前記メッセージは、デバイス（１１４）が外部ネットワーク（１０６ａ、１０６ｂ、１１０、１０８ａ、１０８ｂ）に正常に登録されているかどうかを示す登録状態（１２２）を含み、前記外部ネットワーク（１０６ａ、１０６ｂ、１１０、１０８ａ、１０８ｂ）は、前記ネットワークエンティティに関連付けられたネットワークと通信する、ことと、
前記受信された登録状態（１２２）が正常登録を示す場合に、前記正常登録に関連付けられた支払情報（３１８）を送信すること（７４６）と
を行うように構成されている、装置。
【請求項５９】
前記ネットワークエンティティは、アクセスポイント（１０４ａ、１０４ｂ、１０４ｃ）である、請求項５８に記載の装置。
【請求項６０】
前記プロセッサ（５０２）は、前記受信された登録状態（１２２）が、欠落登録情報または無効登録情報のうちの少なくとも１つを示す場合に、代替登録情報を前記ネットワークエンティティに送信するように構成されている、請求項５８に記載の装置。
【請求項６１】
前記プロセッサ（５０２）が、前記メッセージを前記ネットワークエンティティから受信する時に、前記デバイス（１１４）は、登録状態、発見状態、プロビジョニング状態、またはアクセス状態のうちの１つにある、請求項５８に記載の装置。
【請求項６２】
前記支払情報（３１８）は、クレジットカード番号、プリペイドアカウント番号、またはクーポン番号のうちの少なくとも１つを含む、請求項５８に記載の装置。
【請求項６３】
前記外部ネットワーク（１０６ａ、１０６ｂ、１１０、１０８ａ、１０８ｂ）は、前記デバイス（１１４）に利用可能な加入ベースのサービスに基づいて動作するサービスプロバイダネットワークである、請求項５８に記載の装置。
【請求項６４】
前記ネットワークエンティティに関連付けられた前記ネットワークは、無線ローカルエリアネットワークである、請求項５８に記載の装置。
【請求項６５】
前記プロセッサ（５０２）は、拡張可能認証プロトコル（ＥＡＰ）方法を使用して、前記支払情報（３１８）を前記ネットワークエンティティに送信することによって、前記支払情報（３１８）を送信するように構成されている、請求項５８に記載の装置。
【請求項６６】
拡張可能認証プロトコル（ＥＡＰ）方法を使用して、外部ネットワークに登録する方法であって、前記登録する方法は、
ネットワーク発見の間に、１つ以上の登録プラン（１１９）をネットワークエンティティから受信すること（７１６）と、
登録プラン（３１４）を前記１つ以上の登録プラン（１１９）から選択することと、
前記ＥＡＰ方法を使用して、前記デバイス（１１４）に関連付けられた登録情報（３１６）を前記ネットワークエンティティに送信すること（７２４）であって、前記登録情報（３１６）は、選択された登録プラン（３１４）に基づいて選択される、ことと
を含む、方法。
【請求項６７】
前記ネットワークエンティティは、アクセスポイント（１０４ａ、１０４ｂ、１０４ｃ）である、請求項６６に記載の方法。
【請求項６８】
前記ＥＡＰ方法は、トンネル化された認証プロトコルである、請求項６６に記載の方法。
【請求項６９】
前記ＥＡＰ方法は、無線ネットワークのホットスポットアクセスのための認証フレームワークを提供する、請求項６６に記載の方法。
【請求項７０】
タイプ−長さ−値（ＴＬＶ）構造形式を使用して、前記１つ以上の登録プラン（１１９）が受信され、前記登録情報（３１６）が送信される、請求項６６に記載の方法。
【請求項７１】
タイプ−長さ−値（ＴＬＶ）構造形式を使用して、支払要件を受信し、前記支払要件に応答して支払情報を送信すること（７４６）をさらに含む、請求項６６に記載の方法。
【請求項７２】
タイプ−長さ−値（ＴＬＶ）構造形式を使用して、プロビジョニング要件を受信し、前記プロビジョニング要件に応答してプロビジョニング情報を送信することをさらに含む、請求項６６に記載の方法。
【請求項７３】
前記ネットワークエンティティは、ローカルエリアネットワークへのアクセスを提供する、請求項６６に記載の方法。
【請求項７４】
前記１つ以上の登録プラン（１１９）は、前記デバイス（１１４）を前記ローカルエリアネットワークと通信する外部ネットワーク（１０６ａ、１０６ｂ、１１０、１０８ａ、１０８ｂ）に登録することに関連付けられている、請求項７３に記載の方法。
【請求項７５】
前記外部ネットワーク（１０６ａ、１０６ｂ、１１０、１０８ａ、１０８ｂ）は、サービスプロバイダネットワークであり、前記サービスプロバイダネットワークは、前記デバイス（１１４）に利用可能な加入ベースのサービスに基づいて動作し、前記デバイスに利用可能な加入ベースのサービスは、前記１つ以上の登録プラン（１１９）に基づいている、請求項７４に記載の方法。
【請求項７６】
前記登録情報（３１６）は、使用条件の承諾、ユーザ名、またはユーザ識別のうちの少なくとも１つを含む、請求項６６に記載の方法。
【請求項７７】
前記１つ以上の登録プラン（１１９）の各々は、時間ベースのプラン、賦課方式プラン、またはフリーアクセスプランのうちの１つに関連付けられている、請求項６６に記載の方法。
【請求項７８】
拡張可能認証プロトコル（ＥＡＰ）方法を使用して、外部ネットワークに登録するための装置であって、前記装置は、プロセッサ（５０２）を備え、
前記プロセッサ（５０２）は、
ネットワーク発見の間に、１つ以上の登録プラン（１１９）をネットワークエンティティから受信すること（７１６）と、
登録プラン（３１４）を前記１つ以上の登録プラン（１１９）から選択することと、
前記ＥＡＰ方法を使用して、前記デバイス（１１４）に関連付けられた登録情報（３１６）を前記ネットワークエンティティに送信すること（７２４）であって、前記登録情報（３１６）は、選択された登録プラン（３１４）に基づいて選択される、ことと
を行うように構成されている、装置。
【請求項７９】
前記ネットワークエンティティは、アクセスポイント（１０４ａ、１０４ｂ、１０４ｃ）である、請求項７８に記載の装置。
【請求項８０】
前記ＥＡＰ方法は、トンネル化された認証プロトコルである、請求項７８に記載の装置。
【請求項８１】
前記ＥＡＰ方法は、無線ネットワークのホットスポットアクセスのための認証フレームワークを提供する、請求項７８に記載の装置。
【請求項８２】
前記プロセッサ（５０２）は、タイプ−長さ−値（ＴＬＶ）構造形式を使用して、前記１つ以上の登録プラン（１１９）を受信し、前記登録情報（３１６）を送信するように構成されている、請求項７８に記載の装置。
【請求項８３】
前記プロセッサ（５０２）は、タイプ−長さ−値（ＴＬＶ）構造形式を使用して、支払要件を受信し、前記支払要件に応答して支払情報を送信する（７４６）ように構成されている、請求項７８に記載の装置。
【請求項８４】
前記プロセッサ（５０２）は、タイプ−長さ−値（ＴＬＶ）構造形式を使用して、プロビジョニング要件を受信し、前記プロビジョニング要件に応答してプロビジョニング情報を送信するように構成されている、請求項７８に記載の装置。
【請求項８５】
前記ネットワークエンティティは、ローカルエリアネットワークへのアクセスを提供する、請求項７８に記載の装置。
【請求項８６】
前記１つ以上の登録プラン（１１９）は、前記デバイス（１１４）を前記ローカルエリアネットワークと通信する外部ネットワーク（１０６ａ、１０６ｂ、１１０、１０８ａ、１０８ｂ）に登録することに関連付けられている、請求項８５に記載の装置。
【請求項８７】
前記外部ネットワーク（１０６ａ、１０６ｂ、１１０、１０８ａ、１０８ｂ）は、サービスプロバイダネットワークであり、前記サービスプロバイダネットワークは、前記デバイス（１１４）に利用可能な加入ベースのサービスに基づいて動作し、前記デバイスに利用可能な加入ベースのサービスは、前記１つ以上の登録プラン（１１９）に基づいている、請求項８６に記載の装置。
【請求項８８】
前記登録情報（３１６）は、使用条件の承諾、ユーザ名、またはユーザ識別のうちの少なくとも１つを含む、請求項７８に記載の装置。
【請求項８９】
前記１つ以上の登録プラン（１１９）の各々は、時間ベースのプラン、賦課方式プラン、またはフリーアクセスプランのうちの１つに関連付けられている、請求項７８に記載の装置。
【国際調査報告】
2012533920.tif 000021
2012533920.tif 000022
2012533920.tif 000023